(57)【要約】【課題】電装品ボックスのメンテナンス時に、作業場所（点検口）を変更する回数を減らして作業性を向上させる。【解決手段】冷媒流路切換ユニット（４）は、熱源ユニット（２）と利用ユニット（３）との間に設けられて利用ユニット（３）における冷媒の流れを切り換えるユニットである。冷媒流路切換ユニット（４）は、流路切換弁（４６、４７）と、流路切換弁（４６、４７）を収容するケース（１２０）と、流路切換弁（４６、４７）を制御する電装部品（１４８、１４９）を収容する電装品ボックス（１４０）と、を有している。ケース（１２０）の複数の面（１２２、１２３、１２５、１２６）には、電装品ボックス（１４０）を装着するボックス装着部（１３８、１５７、１５８、１６２）が形成されている。【選択図】図４
2020070957.tif 000002
【特許請求の範囲】
【請求項１】
熱源ユニット（２）と利用ユニット（３）との間に設けられて前記利用ユニットにおける冷媒の流れを切り換える冷媒流路切換ユニットであって、
流路切換弁（４６Ａ〜４６Ｄ、４７Ａ〜４７Ｄ）と、
前記流路切換弁を収容するケース（１２０）と、
前記流路切換弁を制御する電装部品（１４８、１４９）を収容する電装品ボックス（１４０）と、
を備えており、
前記ケースの複数の面（１２２、１２３、１２５、１２６）に、前記電装品ボックスを装着するボックス装着部（１３８、１５７、１５８、１６２）が形成されている、
冷媒流路切換ユニット（４）。
【請求項２】
前記ボックス装着部は、前記ケースの側面のうち、少なくとも２つの側面に形成されている、
請求項１に記載の冷媒流路切換ユニット。
【請求項３】
前記ボックス装着部は、前記ケースの側面及び下面に形成されている、
請求項１に記載の冷媒流路切換ユニット。
【請求項４】
前記ボックス装着部が形成された側面に、熱源側連絡ノズル（７１、８１、９１、７２、８２、９２）が設けられており、
前記熱源側連絡ノズルは、前記ボックス装着部の側方に配置されている、
請求項１〜３のいずれか１項に記載の冷媒流路切換ユニット。
【請求項５】
前記熱源側連絡ノズル及び前記ボックス装着部が形成された側面以外の他の側面に、利用側連絡ノズル（１０１Ａ〜１０１Ｄ、１１１Ａ〜１１１Ｄ）が設けられており、
前記熱源側連絡ノズルは、前記ボックス装着部よりも前記利用側連絡ノズルが形成された側面に近い方に配置されている、
請求項４に記載の冷媒流路切換ユニット。
【請求項６】
前記ボックス装着部に、前記流路切換弁と前記電装部品とを接続する内部配線（１５２）を通す内部配線開口（１５１）が形成されている、
請求項１〜５のいずれか１項に記載の冷媒流路切換ユニット。
【請求項７】
前記ケースは、前記内部配線開口を覆う蓋部材（１３５、１３６）を有している、
請求項６に記載の冷媒流路切換ユニット。
【請求項８】
前記電装品ボックスを前記ボックス装着部に固定する固定構造が前記ボックス装着部に設けられている、
請求項１〜７のいずれか１項に記載の冷媒流路切換ユニット。
【請求項９】
前記固定構造は、前記電装品ボックスを前記ボックス装着部にネジ止めする構造である、
請求項８に記載の冷媒流路切換ユニット。
【請求項１０】
前記電装品ボックスに、前記ボックス装着部へのネジ止め位置をずらす位置調整部（１５０）が形成されている、
請求項９に記載の冷媒流路切換ユニット。
【請求項１１】
前記電装品ボックスの複数の面に、前記電装部品と前記ケース外の機器とを接続する外部配線（１５３、１５４）を通す外部配線開口（１５５、１５６）が形成されている、
請求項１〜１０のいずれか１項に記載の冷媒流路切換ユニット。
【請求項１２】
熱源ユニット（２）と、
利用ユニット（３）と、
前記熱源ユニットと前記利用ユニットとの間に設けられており、前記利用ユニットにおける冷媒の流れを切り換える、請求項１〜１１のいずれか１項に記載の冷媒流路切換ユニット（４）と、
を備えた、
空気調和装置（１）。
【請求項１３】
前記冷媒流路切換ユニットとして、第１冷媒流路切換ユニットと、第２冷媒流路切換ユニットと、を有しており、
前記第１冷媒流路切換ユニットの電装品ボックスは、前記第１冷媒流路切換ユニットのケースのボックス装着部のうち、前記第２冷媒流路切換ユニットに近い方のボックス装着部に装着されている、
請求項１２に記載の空気調和装置。
【発明の詳細な説明】
【技術分野】
【０００１】
熱源ユニットと利用ユニットとの間に設けられて利用ユニットにおける冷媒の流れを切り換える冷媒流路切換ユニット、及び、それを備えた空気調和装置
【背景技術】
【０００２】
従来より、熱源ユニットと利用ユニットとの間に設けられて利用ユニットにおける冷媒の流れを切り換える冷媒流路切換ユニット、及び、それを備えた空気調和装置がある。このような冷媒流路切換ユニットとして、特許文献１（特開２０１５−２２７７４１号公報）に示すように、流路切換弁を収容するケースの特定の１つの側面に電装品ボックスが装着されているものがある。
【発明の概要】
【発明が解決しようとする課題】
【０００３】
冷媒流路切換ユニットは、建物内の居室や通路の天井裏空間等に設けられることが多い。そして、居室や通路の天井面には、電装品ボックスのメンテナンスを行うための点検口が設けられる。
【０００４】
ところで、空気調和装置では、利用ユニットが多くなると、複数の冷媒流路切換ユニットが設けられる場合がある。そして、この場合には、冷媒流路切換ユニットごと（言い換えれば、電装品ボックスごと）に点検口が天井面に設けられるため、作業場所（点検口）を何度も変更しながら、電装品ボックスのメンテナンスを行う必要がある。
【課題を解決するための手段】
【０００５】
第１の観点にかかる冷媒流路切換ユニットは、熱源ユニットと利用ユニットとの間に設けられて利用ユニットにおける冷媒の流れを切り換える冷媒流路切換ユニットであって、流路切換弁と、流路切換弁を収容するケースと、流路切換弁を制御する電装部品を収容する電装品ボックスと、を有している。そして、ここでは、ケースの複数の面に、電装品ボックスを装着するボックス装着部が形成されている。
【０００６】
ここでは、電装品ボックスのケースへの装着位置（装着面）を必要に応じて変更することができる。例えば、複数の冷媒流路切換ユニットに共通の点検口を設けて、この点検口からアクセス可能なケースの面に、電装品ボックスを装着することができる。このため、ここでは、複数の冷媒流路切換ユニットに共通の１つの点検口から複数の電装品ボックスのメンテナンスを行うことができる。
【０００７】
これにより、ここでは、電装品ボックスのメンテナンス時に、作業場所（点検口）を変更する回数を減らすことができ、作業性を向上させることができる。
【０００８】
第２の観点にかかる冷媒流路切換ユニットは、第１の観点にかかる冷媒流路切換ユニットにおいて、ボックス装着部が、ケースの側面のうち、少なくとも２つの側面に形成されている。
【０００９】
ここでは、ケースの２つの側面のうち点検口に近い面に電装品ボックスを装着することができ、電装品ボックスのメンテナンスの作業性を向上させることができる。
【００１０】
第３の観点にかかる冷媒流路切換ユニットは、第１の観点にかかる冷媒流路切換ユニットにおいて、ボックス装着部が、ケースの側面及び下面に形成されている。
【００１１】
ここでは、ケースの側面及び下面のうち点検口に近い面に電装品ボックスを装着することができ、電装品ボックスのメンテナンスの作業性を向上させることができる。
【００１２】
第４の観点にかかる冷媒流路切換ユニットは、第１〜第３の観点のいずれかにかかる冷媒流路切換ユニットにおいて、ボックス装着部が形成された側面に、熱源側連絡ノズルが設けられており、熱源側連絡ノズルが、ボックス装着部の側方に配置されている。
【００１３】
ボックス装着部が形成された側面に熱源側連絡ノズルを設けると、熱源側連絡ノズル及び熱源側連絡ノズルに接続される熱源側冷媒連絡管が邪魔になり、電装品ボックスのメンテナンスの作業性が低下するおそれがある。
【００１４】
しかし、ここでは、上記のように、ボックス装着部が形成された側面に熱源側連絡ノズルを設ける際に、熱源側連絡ノズルをボックス装着部の側方に配置しているため、熱源側連絡ノズル及び熱源側連絡ノズルに接続される熱源側冷媒連絡管が邪魔になりにくく、電装品ボックスのメンテナンスの作業性が低下するおそれを少なくできる。
【００１５】
第５の観点にかかる冷媒流路切換ユニットは、第４の観点にかかる冷媒流路切換ユニットにおいて、熱源側連絡ノズル及びボックス装着部が形成された側面以外の他の側面に、利用側連絡ノズルが設けられており、熱源側連絡ノズルが、ボックス装着部よりも利用側連絡ノズルが形成された側面に近い方に配置されている。
【００１６】
ボックス装着部が形成された側面に熱源側連絡ノズルを設ける際に、熱源側連絡ノズルをボックス装着部よりも利用側連絡ノズルが形成された側面から遠い方に配置すると、利用側連絡ノズル及び利用側連絡ノズルに接続される利用側冷媒連絡管が邪魔になり、電装品ボックスのメンテナンスの作業性が低下するおそれがある。
【００１７】
しかし、ここでは、上記のように、ボックス装着部が形成された側面に熱源側連絡ノズルを設ける際に、熱源側連絡ノズルをボックス装着部よりも利用側連絡ノズルが形成された側面に近い方に配置しているため、利用側連絡ノズル及び利用側連絡ノズルに接続される利用側冷媒連絡管が邪魔になりにくく、電装品ボックスのメンテナンスの作業性が低下するおそれを少なくできる。
【００１８】
第６の観点にかかる冷媒流路切換ユニットは、第１〜第５の観点のいずれかにかかる冷媒流路切換ユニットにおいて、ボックス装着部に、流路切換弁と電装部品とを接続する内部配線を通す内部配線開口が形成されている。
【００１９】
ここでは、複数のボックス装着部のいずれにおいても、電装品ボックスからケース内に内部配線を通すことができる。
【００２０】
第７の観点にかかる冷媒流路切換ユニットは、第６の観点にかかる冷媒流路切換ユニットにおいて、ケースが、内部配線開口を覆う蓋部材を有している。
【００２１】
ここでは、電装品ボックスが装着されないボックス装着部について、内部配線開口を覆うことができる。
【００２２】
第８の観点にかかる冷媒流路切換ユニットは、第１〜第７の観点のいずれかにかかる冷媒流路切換ユニットにおいて、電装品ボックスをボックス装着部に固定する固定構造がボックス装着部に設けられている。
【００２３】
ここでは、電装品ボックスの装着面を変更する際に、ボックス装着部から電装品ボックスを容易に取り外して、別のボックス装着部に容易に装着することができる。
【００２４】
第９の観点にかかる冷媒流路切換ユニットは、第８の観点にかかる冷媒流路切換ユニットにおいて、固定構造が、電装品ボックスをボックス装着部にネジ止めする構造である。
【００２５】
第１０の観点にかかる冷媒流路切換ユニットは、第９の観点にかかる冷媒流路切換ユニットにおいて、電装品ボックスに、ボックス装着部へのネジ止め位置をずらす位置調整部が形成されている。
【００２６】
ここでは、電装品ボックスの装着位置を、同じ装着面において、微調整することができる。
【００２７】
第１１の観点にかかる冷媒流路切換ユニットは、第１〜第１０の観点のいずれかにかかる冷媒流路切換ユニットにおいて、電装品ボックスの複数の面に、電装部品とケース外の機器とを接続する外部配線を通す外部配線開口が形成されている。
【００２８】
ここでは、電装品ボックスの装着位置（装着面）に応じて、外部配線を通す位置を変更することができる。
【００２９】
第１２の観点にかかる空気調和装置は、熱源ユニットと、利用ユニットと、第１〜第１１の観点のいずれかにかかる冷媒流路切換ユニットと、を有している。
【００３０】
ここでは、冷媒流路切換ユニットのメンテナンスの作業性を向上させることが可能な空気調和装置を提供することができる。
【００３１】
第１３の観点にかかる空気調和装置は、第１２の観点にかかる空気調和装置において、冷媒流路切換ユニットとして、第１冷媒流路切換ユニットと、第２冷媒流路切換ユニットと、を有している。そして、ここでは、第１冷媒流路切換ユニットの電装品ボックスは、第１冷媒流路切換ユニットのケースのボックス装着部のうち、第２冷媒流路切換ユニットに近い方のボックス装着部に装着されている。
【００３２】
ここでは、第１冷媒流路切換ユニットの電装品ボックスを第２冷媒流路切換ユニットの電装品ボックスの近くに配置することができる。
【００３３】
これにより、ここでは、２つの冷媒流路切換ユニットに共通の点検口を設けて、この点検口から２つの電装品ボックスのメンテナンスを行うことができる。
【図面の簡単な説明】
【００３４】
【図１】本開示の一実施形態にかかる空気調和装置の全体構成図である。
【図２】空気調和装置の冷媒回路図（熱源ユニットだけを詳細に図示）である。
【図３】空気調和装置の冷媒回路図（冷媒流路切換ユニットの１つ及びそれに接続される利用ユニットだけを詳細に図示）である。
【図４】冷媒流路切換ユニットの外観（前側面板に電装品ボックスが装着された状態）を示す斜視図である。
【図５】冷媒流路切換ユニットの回路構成を示す斜視図である。
【図６】冷媒流路切換ユニットの外観（前側面板に電装品ボックスが装着された状態）を示す上面図である。
【図７】冷媒流路切換ユニットの回路構成を示す上面図である。
【図８】冷媒流路切換ユニットの外観（前側面板に電装品ボックスが装着された状態）を示す左側面図である。
【図９】冷媒流路切換ユニットの回路構成を示す左側面図である。
【図１０】冷媒流路切換ユニットの外観（前側面板に電装品ボックスが装着された状態）を示す右側面図である。
【図１１】冷媒流路切換ユニットの外観を示す後側面図である。
【図１２】冷媒流路切換ユニットの外観（前側面板に電装品ボックスが装着された状態）を示す前側面図である。
【図１３】熱源側連絡ノズル（熱源側小ノズル、熱源側中ノズル及び熱源側大ノズル）の詳細を示す図である。
【図１４】冷媒流路切換ユニットの外観（前側面板に装着された電装品ボックスのボックス蓋が取り外された状態）を示す前側面図である。
【図１５】冷媒流路切換ユニットの外観（左側面板に電装品ボックスが装着された状態）を示す斜視図である。
【図１６】冷媒流路切換ユニットの外観（左側面板に装着された電装品ボックスのボックス蓋が取り外された状態）を示す左側面図である。
【図１７】冷媒流路切換ユニットの外観（右側面板に電装品ボックスが装着された状態）を示す斜視図である。
【図１８】冷媒流路切換ユニットの外観（右側面板に装着された電装品ボックスのボックス蓋が取り外された状態）を示す右側面図である。
【図１９】冷媒流路切換ユニット間接続の構成を示す斜視図（電装品ボックスを前側面板に装着した状態）である。
【図２０】冷媒流路切換ユニット間接続の構成を示す上面図（電装品ボックスを前側面板に装着した状態）である。
【図２１】冷媒流路切換ユニット間接続の構成を示す斜視図（電装品ボックスを左側面板や右側面板に装着した状態）である。
【図２２】冷媒流路切換ユニット間接続の構成を示す上面図（電装品ボックスを左側面板や右側面板に装着した状態）である。
【図２３】変形例Ａの冷媒流路切換ユニットの外観（前側面板に装着された電装品ボックスのボックス蓋が取り外された状態）を示す前側面図である。
【図２４】変形例Ｂの冷媒流路切換ユニットの外観（下面板に電装品ボックスが装着された状態）を示す左側面図である。
【発明を実施するための形態】
【００３５】
以下、冷媒流路切換ユニット及びそれを備えた空気調和装置について、図面に基づいて説明する。
【００３６】
（１）冷媒回路構成及び動作
図１は、本開示の一実施形態にかかる空気調和装置１の全体構成図である。図２は、空気調和装置１の冷媒回路図（熱源ユニット２だけを詳細に図示）である。図３は、空気調和装置１の冷媒回路図（冷媒流路切換ユニット４−２及びそれに接続される利用ユニット３Ａ−２〜３Ｄ−２だけを詳細に図示）である。
【００３７】
＜全体＞
空気調和装置１は、蒸気圧縮式の冷凍サイクルによって、ビル等の室内の冷房や暖房を行う装置である。空気調和装置１は、主として、熱源ユニット２と、複数（ここでは、１６台）の利用ユニット３と、熱源ユニット２と利用ユニット３との間に設けられて利用ユニット３における冷媒の流れを切り換える複数（ここでは、４台）の冷媒流路切換ユニット４と、熱源ユニット２から延びる熱源側冷媒連絡管５と、利用ユニット４から延びる利用側冷媒連絡管６と、を有している。したがって、空気調和装置１の蒸気圧縮式の冷媒回路１９は、熱源ユニット２と、利用ユニット３と、冷媒流路切換ユニット４と、冷媒連絡管５、６と、が接続されることによって構成されている。
【００３８】
熱源ユニット２は、建物の屋上等の屋外に設けられている。利用ユニット３は、建物内に設けられており、ここでは、居室内又はその天井裏空間等に設けられている。冷媒流路切換ユニット４は、建物内に設けられており、ここでは、通路の天井裏空間に設けられている。
【００３９】
熱源ユニット２と冷媒流路切換ユニット４とは、熱源側冷媒連絡管５によって接続されており、ユニット２、４間において、冷媒のやりとりがなされるようになっている。具体的には、熱源ユニット２は、熱源側冷媒連絡管５−１によって冷媒流路切換ユニット４−１に接続されている。冷媒流路切換ユニット４−１は、熱源側冷媒連絡管５−２によって冷媒流路切換ユニット４−２に接続されている。冷媒流路切換ユニット４−２は、熱源側冷媒連絡管５−３によって冷媒流路切換ユニット４−３に接続されている。冷媒流路切換ユニット４−３は、熱源側冷媒連絡管５−４によって冷媒流路切換ユニット４−４に接続されている。言い換えれば、冷媒流路切換ユニット４の１つ（ここでは、冷媒流路切換ユニット４−１）は、熱源ユニット２に接続されており、冷媒流路切換ユニット４間は、熱源ユニット２から順に直列に接続されている。
【００４０】
利用ユニット３と冷媒流路切換ユニット４とは、利用側冷媒連絡管６によって接続されており、ユニット３、４間において、冷媒のやりとりがなされるようになっている。具体的には、冷媒流路切換ユニット４−１は、利用側冷媒連絡管６−１によって複数（ここでは、４台）の利用ユニット３Ａ−１〜３Ｄ−１に接続されている。冷媒流路切換ユニット４−２は、利用側冷媒連絡管６−２によって複数（ここでは、４台）の利用ユニット３Ａ−２〜３Ｄ−２に接続されている。冷媒流路切換ユニット４−３は、利用側冷媒連絡管６−３によって複数（ここでは、４台）の利用ユニット３Ａ−３〜３Ｄ−３に接続されている。冷媒流路切換ユニット４−４は、利用側冷媒連絡管６−４によって複数（ここでは、４台）の利用ユニット３Ａ−４〜３Ｄ−４に接続されている。言い換えれば、冷媒流路切換ユニット４はそれぞれ、異なる利用ユニット３（ここでは、４台１組の利用ユニット３）に接続されており、利用ユニット３間は、冷媒流路切換ユニット４を介して並列に接続されている。
【００４１】
そして、空気調和装置１では、利用ユニット３における冷媒の流れを、冷媒流路切換ユニット４によって、利用ユニット３ごとに切り換えることが可能になっている。したがって、空気調和装置１は、利用ユニット３ごとに個別に冷房運転又は暖房運転を行うことが可能ないわゆる冷暖フリー型の空気調和装置を構成している。
【００４２】
＜熱源ユニット＞
上記のように、熱源ユニット２は、熱源側冷媒連絡管５を介して冷媒流路切換ユニット４に接続されており、冷媒回路１９の一部を構成している。
【００４３】
ここで、熱源側冷媒連絡管５は、第１熱源側冷媒連絡管７と、第２熱源側冷媒連絡管８と、第３熱源側冷媒連絡管９と、を有している。したがって、熱源ユニット２と冷媒流路切換ユニット４とは、３種１組の熱源側冷媒連絡管７、８、９によって接続されている。具体的には、熱源ユニット２は、熱源側冷媒連絡管７−１、８−１、９−１によって冷媒流路切換ユニット４−１に接続されている。冷媒流路切換ユニット４−１は、熱源側冷媒連絡管７−２、８−２、９−２によって冷媒流路切換ユニット４−２に接続されている。冷媒流路切換ユニット４−２は、熱源側冷媒連絡管７−３、８−３、９−３によって冷媒流路切換ユニット４−３に接続されている。冷媒流路切換ユニット４−３は、熱源側冷媒連絡管７−４、８−４、９−４によって冷媒流路切換ユニット４−４に接続されている。
【００４４】
次に、熱源ユニット２の回路構成について説明する。熱源ユニット２は、主として、圧縮機２１と、第１熱源側切換弁２２と、熱源側熱交換器２３と、熱源側膨張弁２４と、複数（ここでは、３つ）の閉鎖弁２５〜２７と、第２熱源側切換弁２９と、を有している。
【００４５】
圧縮機２１は、冷媒を圧縮するための機器であり、例えば、ケーシング内に圧縮機モータ及び圧縮要素が収容された密閉型圧縮機からなる。
【００４６】
第１熱源側切換弁２２は、熱源側熱交換器２３を冷媒の放熱器として機能させる場合（以下、「熱源側放熱状態」とする）に、圧縮機２１の吐出側と熱源側熱交換器２３のガス側とを接続することが可能である（図２の第１熱源側切換弁２２の実線を参照）。また、第１熱源側切換弁２２は、熱源側熱交換器２３を冷媒の蒸発器として機能させる場合（以下、「熱源側蒸発状態」とする）に、圧縮機２１の吸入側と熱源側熱交換器２３のガス側とを接続することが可能である（図２の第１熱源側切換弁２２の破線を参照）。このように、第１熱源側切換弁２２は、熱源側熱交換器２３を流れる冷媒の流れ方向（ここでは、熱源側放熱状態及び熱源側蒸発状態）を切り換えることが可能な機器であり、例えば、四路切換弁からなる。
【００４７】
熱源側熱交換器２３は、冷媒と室外空気との熱交換を行うための熱交換器である。熱源側熱交換器２３は、そのガス側が第１熱源側切換弁２２に接続され、その液側が熱源側膨張弁２４に接続されている。ここで、熱源ユニット２は、熱源側熱交換器２３を通過する室外空気の流れを生成させるための熱源側ファン２８を有している。
【００４８】
熱源側膨張弁２４は、冷媒を減圧するための機器であり、例えば、開度調節が可能な電動膨張弁からなる。熱源側膨張弁２４は、その一端側が熱源側熱交換器２３の液側に接続され、その他端側が第１閉鎖弁２５に接続されている。
【００４９】
第２熱源側切換弁２９は、圧縮機２１から吐出された冷媒を第２熱源側冷媒連絡管８に送る場合（以下、「冷媒導出状態」とする）には圧縮機２１の吐出側と第２閉鎖弁２６とを接続することが可能である（図２の第２熱源側切換弁２９の破線を参照）。また、第２熱源側切換弁２９は、第２熱源側冷媒連絡管８を流れる冷媒を圧縮機２１の吸入側に送る場合（以下、「冷媒導入状態」とする）には第２閉鎖弁２６と圧縮機２１の吸入側とを接続することが可能である（図２の第２熱源側切換弁２９の実線を参照）。このように、第２熱源側切換弁２９は、第２熱源側冷媒連絡管８を流れる冷媒の流れ方向（ここでは、冷媒導出状態及び冷媒導入状態）を切り換えることが可能な機器であり、例えば、四路切換弁からなる。
【００５０】
閉鎖弁２５〜２７は、熱源ユニット２と外部（ここでは、冷媒流路切換ユニット４）との接続や切り離しを行う際に開閉される手動弁である。第１閉鎖弁２５は、その一端側が熱源側膨張弁２４に接続され、その他端側が第１熱源側冷媒連絡管７（ここでは、第１熱源側冷媒連絡管７−１）に接続されている。第２閉鎖弁２６は、その一端側が第２熱源側切換弁２９に接続され、その他端側が第２熱源側冷媒連絡管８（ここでは、第２熱源側冷媒連絡管８−１）に接続されている。第３閉鎖弁２７は、その一端側が圧縮機２１の吸入側に接続され、その他端側が第３熱源側冷媒連絡管９（ここでは、第３熱源側冷媒連絡管９−１）に接続されている。
【００５１】
＜利用ユニット＞
上記のように、利用ユニット３は、利用側冷媒連絡管６を介して冷媒流路切換ユニット４に接続されており、冷媒回路１９の一部を構成している。
【００５２】
ここで、利用側冷媒連絡管６は、第１利用側冷媒連絡管１０と、第２利用側冷媒連絡管１１と、を有している。したがって、利用ユニット３と冷媒流路切換ユニット４とは、２種１組の利用側冷媒連絡管１０、１１によって接続されている。具体的には、冷媒流路切換ユニット４−１は、４組の利用側冷媒連絡管１０−１、１１−１（１０Ａ−１及び１１Ａ−１、１０Ｂ−１及び１１Ｂ−１、１０Ｃ−１及び１１Ｃ−１、１０Ｄ−１及び１１Ｄ−１）によって利用ユニット３Ａ−１〜３Ｄ−１に接続されている。冷媒流路切換ユニット４−２は、４組の利用側冷媒連絡管１０−２、１１−２（１０Ａ−２及び１１Ａ−２、１０Ｂ−２及び１１Ｂ−２、１０Ｃ−２及び１１Ｃ−２、１０Ｄ−２及び１１Ｄ−２）によって利用ユニット３Ａ−２〜３Ｄ−２に接続されている。冷媒流路切換ユニット４−３は、４組の利用側冷媒連絡管１０−３、１１−３（１０Ａ−３及び１１Ａ−３、１０Ｂ−３及び１１Ｂ−３、１０Ｃ−３及び１１Ｃ−３、１０Ｄ−３及び１１Ｄ−３）によって利用ユニット３Ａ−３〜３Ｄ−３に接続されている。冷媒流路切換ユニット４−４は、４組の利用側冷媒連絡管１０−４、１１−４（１０Ａ−４及び１１Ａ−４、１０Ｂ−４及び１１Ｂ−４、１０Ｃ−４及び１１Ｃ−４、１０Ｄ−４及び１１Ｄ−４）によって利用ユニット３Ａ−４〜３Ｄ−４に接続されている。
【００５３】
次に、利用ユニット３の回路構成について説明する。尚、利用ユニット３Ａ−１〜３Ｄ−１、３Ａ−２〜３Ｄ−２、３Ａ−３〜３Ｄ−３、３Ａ−４〜３Ｄ−４はいずれも同じ構成であるため、ここでは、利用ユニット３を区別するための符号の添え字「Ａ」、「Ｂ」、「Ｃ」、「Ｄ」や「−１」、「−２」、「−３」、「−４」を省略して説明を行う。利用ユニット３は、主として、利用側膨張弁３１と、利用側熱交換器３２と、を有している。
【００５４】
利用側膨張弁３１は、冷媒を減圧するための機器であり、例えば、開度調節が可能な電動膨張弁からなる。利用側膨張弁３１は、その一端側が第１利用側冷媒連絡管１０に接続され、その他端側が利用側熱交換器３２の液側に接続されている。
【００５５】
利用側熱交換器３２は、冷媒と室内空気との熱交換を行うための熱交換器である。利用側熱交換器３２は、その液側が利用側膨張弁３１に接続され、そのガス側が第２利用側冷媒連絡管１１に接続されている。ここで、利用ユニット３は、利用側熱交換器３１を通過する室内空気の流れを生成させるための利用側ファン３３を有している。
【００５６】
＜冷媒流路切換ユニット＞
上記のように、冷媒流路切換ユニット４は、熱源ユニット２と利用ユニット３との間に設けられて、熱源側冷媒連絡管５を介して冷媒流路切換ユニット４に接続され、かつ、利用側冷媒連絡管６を介して冷媒流路切換ユニット４に接続されており、冷媒回路１９の一部を構成している。
【００５７】
次に、冷媒流路切換ユニット４の回路構成について説明する。尚、冷媒流路切換ユニット４−１〜４−４はいずれも同じ構成であるため、ここでは、冷媒流路切換ユニット４を区別するための符号の添え字「−１」、「−２」、「−３」、「−４」をできるだけ省略して説明を行う。冷媒流路切換ユニット４は、主として、第１内部連絡管４１と、第２内部連絡管４２と、第３内部連絡管４３と、第４内部連絡管４４Ａ〜４４Ｄと、第５内部連絡管４５Ａ〜４５Ｄと、第１流路切換弁４６Ａ〜４６Ｄと、第２流路切換弁４７Ａ〜４７Ｄと、を有している。
【００５８】
第１内部連絡管４１は、その一端側及び／又はその他端側が第１熱源側冷媒連絡管７に接続されている。ここで、第１内部連絡管４１の一端側には、第１熱源側冷媒連絡管７に接続するための第１熱源側小ノズル７１が形成されており、第１内部連絡管４１の他端側には、第１熱源側冷媒連絡管７に接続するための第２熱源側小ノズル７２が形成されている。言い換えれば、第１内部連絡管４１は、第１熱源側小ノズル７１と第２熱源側小ノズル７２とを接続している。具体的には、冷媒流路切換ユニット４−１の第１内部連絡管４１−１は、その一端側（第１熱源側小ノズル７１−１）が第１熱源側冷媒連絡管７−２に接続され、その他端側（第２熱源側小ノズル７２−１）が第１熱源側冷媒連絡管７−１に接続されている。冷媒流路切換ユニット４−２の第１内部連絡管４１−２は、その一端側（第１熱源側小ノズル７１−２）が第１熱源側冷媒連絡管７−２に接続され、その他端側（第２熱源側小ノズル７２−２）が第１熱源側冷媒連絡管７−３に接続されている。冷媒流路切換ユニット４−３の第１内部連絡管４１−３は、その一端側（第１熱源側小ノズル７１−３）が第１熱源側冷媒連絡管７−３に接続され、その他端側（第２熱源側小ノズル７２−３）が第１熱源側冷媒連絡管７−４に接続されている。冷媒流路切換ユニット４−４の第１内部連絡管４１−４は、その一端側（第１熱源側小ノズル７１−４）が第１熱源側冷媒連絡管に接続されておらず、その他端側（第２熱源側小ノズル７２−４）が第１熱源側冷媒連絡管７−４に接続されている。
【００５９】
第２内部連絡管４２は、その一端側及び／又はその他端側が第２熱源側冷媒連絡管８に接続されている。ここで、第２内部連絡管４２の一端側には、第２熱源側冷媒連絡管８に接続するための第１熱源側中ノズル８１が形成されており、第２内部連絡管４２の他端側には、第２熱源側冷媒連絡管８に接続するための第２熱源側中ノズル８２が形成されている。言い換えれば、第２内部連絡管４２は、第１熱源側中ノズル８１と第２熱源側中ノズル８２とを接続している。具体的には、冷媒流路切換ユニット４−１の第２内部連絡管４２−１は、その一端側（第１熱源側中ノズル８１−１）が第２熱源側冷媒連絡管８−２に接続され、その他端側（第２熱源側中ノズル８２−１）が第２熱源側冷媒連絡管８−１に接続されている。冷媒流路切換ユニット４−２の第２内部連絡管４２−２は、その一端側（第１熱源側中ノズル８１−２）が第２熱源側冷媒連絡管８−２に接続され、その他端側（第２熱源側中ノズル８２−２）が第２熱源側冷媒連絡管８−３に接続されている。冷媒流路切換ユニット４−３の第２内部連絡管４２−３は、その一端側（第１熱源側中ノズル８１−３）が第２熱源側冷媒連絡管８−３に接続され、その他端側（第２熱源側中ノズル８２−３）が第２熱源側冷媒連絡管８−４に接続されている。冷媒流路切換ユニット４−４の第２内部連絡管４２−４は、その一端側（第１熱源側中ノズル８１−４）が第２熱源側冷媒連絡管に接続されておらず、その他端側（第２熱源側中ノズル８２−４）が第２熱源側冷媒連絡管８−４に接続されている。
【００６０】
第３内部連絡管４３は、その一端側及び／又はその他端側が第３熱源側冷媒連絡管９に接続されている。ここで、第３内部連絡管４３の一端側には、第３熱源側冷媒連絡管９に接続するための第１熱源側大ノズル９１が形成されており、第３内部連絡管４３の他端側には、第３熱源側冷媒連絡管９に接続するための第２熱源側大ノズル９２が形成されている。言い換えれば、第３内部連絡管４３は、第１熱源側大ノズル９１と第２熱源側大ノズル９２とを接続している。具体的には、冷媒流路切換ユニット４−１の第３内部連絡管４３−１は、その一端側（第１熱源側大ノズル９１−１）が第３熱源側冷媒連絡管９−２に接続され、その他端側（第２熱源側大ノズル９２−１）が第３熱源側冷媒連絡管９−１に接続されている。冷媒流路切換ユニット４−２の第３内部連絡管４３−２は、その一端側（第１熱源側大ノズル９１−２）が第３熱源側冷媒連絡管９−２に接続され、その他端側（第２熱源側大ノズル９２−２）が第３熱源側冷媒連絡管９−３に接続されている。冷媒流路切換ユニット４−３の第３内部連絡管４３−３は、その一端側（第１熱源側大ノズル９１−３）が第３熱源側冷媒連絡管９−３に接続され、その他端側（第２熱源側大ノズル９２−３）が第３熱源側冷媒連絡管９−４に接続されている。冷媒流路切換ユニット４−４の第３内部連絡管４３−４は、その一端側（第１熱源側大ノズル９１−４）が第３熱源側冷媒連絡管に接続されておらず、その他端側が第３熱源側冷媒連絡管９−４（第２熱源側大ノズル９２−４）に接続されている。
【００６１】
このように、冷媒流路切換ユニット４には、３種の熱源側冷媒連絡管７、８、９に接続される第１熱源側小ノズル７１、第１熱源側中ノズル８１及び第１熱源側大ノズル９１の組（第１熱源側連絡ノズル）、及び、３種の熱源側冷媒連絡管７、８、９に接続される第２熱源側小ノズル７２、第２熱源側中ノズル８２及び第２熱源側大ノズル９２の組（第２熱源側連絡ノズル）という２組の熱源側連絡ノズルが設けられている。
【００６２】
複数（ここでは、４本）の第４内部連絡管４４Ａ〜４４Ｄは、第１内部連絡管４１に接続されている。第４内部連絡管４４Ａ〜４４Ｄはそれぞれ、その一端側が第１内部連絡管４１の途中部分から分岐されるように接続されている。また、第４内部連絡管４４Ａ〜４４Ｄはそれぞれ、その他端側が第１利用側冷媒連絡管１０Ａ〜１０Ｄに接続されている。ここで、第４内部連絡管４４Ａ〜４４Ｄの他端側には、第１利用側冷媒連絡管１０Ａ〜１０Ｄに接続する利用側小ノズル１０１Ａ〜１０１Ｄが形成されている。言い換えれば、第４内部連絡管４４Ａ〜４４Ｄは、第１内部連絡管４１と利用側小ノズル１０１Ａ〜１０１Ｄとを接続している。
【００６３】
複数（ここでは、４本）の第５内部連絡管４５Ａ〜４５Ｄはそれぞれ、第２内部連絡管４２から分岐される第６内部連絡管４８Ａ〜４８Ｄと、第３内部連絡管４３から分岐される第７内部連絡管４９Ａ〜４９Ｄと、第６内部連絡管４８Ａ〜４８Ｄと第７内部連絡管４９Ａ〜４９Ｄとを合流させる第８内部連絡管５０Ａ〜５０Ｄと、を有している。第６内部連絡管４８Ａ〜４８Ｄはそれぞれ、その一端側が第２内部連絡管４２の途中部分に接続され、その他端側が第８内部連絡管５０Ａ〜５０Ｄの一端側に接続されている。また、第７内部連絡管４９Ａ〜４９Ｄはそれぞれ、その一端側が第３内部連絡管４３の途中部分に接続され、その他端側が第８内部連絡管５０Ａ〜５０Ｄの一端側に接続されている。そして、第８内部連絡管５０Ａ〜５０Ｄはそれぞれ、その他端側が第２利用側冷媒連絡管１１Ａ〜１１Ｄに接続されている。ここで、第８内部連絡管５０Ａ〜５０Ｄの他端側には、第２利用側冷媒連絡管１１Ａ〜１１Ｄに接続する利用側大ノズル１１１Ａ〜１１１Ｄが形成されている。言い換えれば、第５内部連絡管４５Ａ〜４５Ｄは、第２内部連絡管４２及び第３内部連絡管４３と利用側大ノズル１１１Ａ〜１１１Ｄとを接続している。
【００６４】
複数（ここでは、４つ）の第１流路切換弁４６Ａ〜４６Ｄはそれぞれ、第６内部連絡管４８Ａ〜４８Ｄに設けられている。また、複数（ここでは、４つ）の第２流路切換弁４７Ａ〜４７Ｄはそれぞれ、第７内部連絡管４９Ａ〜４９Ｄに設けられている。第１流路切換弁４６Ａ〜４６Ｄ及び第２流路切換弁４７Ａ〜４７Ｄは、例えば、電動膨張弁や電磁弁からなる。そして、第１流路切換弁４６Ａ〜４６Ｄは、対応する利用ユニット３Ａ〜３Ｄが冷房運転を行う場合に閉状態にされ、対応する利用ユニット３Ａ〜３Ｄが暖房運転を行う場合に開状態にされる。但し、冷媒回路１９の全体で暖房運転を行う利用ユニットが存在しない場合（言い換えれば、冷媒回路１９全体で冷房運転を行う利用ユニットのみが存在する場合）には、対応する利用ユニット３Ａ〜３Ｄが冷房運転を行う場合であっても、第１流路切換弁４６Ａ〜４６Ｄは開状態にされる。また、第２流路切換弁４７Ａ〜４７Ｄは、対応する利用ユニット３Ａ〜３Ｄが冷房運転を行う場合に開状態にされ、対応する利用ユニット３Ａ〜３Ｄが暖房運転を行う場合に閉状態にされる。このように、第１流路切換弁４６Ａ〜４６Ｄ及び第２流路切換弁４７Ａ〜４７Ｄは、利用ユニット３Ａ〜３Ｄにおける冷媒の流れ方向（ここでは、冷房運転及び暖房運転）を切り換えることが可能である。
【００６５】
また、第６内部連絡管４８Ａ〜４８Ｄにはそれぞれ、第１フィルタ５１Ａ〜５１Ｄが設けられている。第１フィルタ５１Ａ〜５１Ｄは、第６内部連絡管４８Ａ〜４８Ｄを流れる冷媒に同伴する異物を捕捉するための機器である。第１フィルタ５１Ａ〜５１Ｄは、第６内部連絡管４８Ａ〜４８Ｄのうち、第２内部連絡管４２からの分岐部分と第１流路切換弁４６Ａ〜４６Ｄとの間の部分に設けられている。第７内部連絡管４９Ａ〜４９Ｄにはそれぞれ、第２フィルタ５２Ａ〜５２Ｄが設けられている。第２フィルタ５２Ａ〜５２Ｄは、第７内部連絡管４９Ａ〜４９Ｄを流れる冷媒に同伴する異物を捕捉するための機器である。第２フィルタ５２Ａ〜５２Ｄは、第７内部連絡管４９Ａ〜４９Ｄのうち、第３内部連絡管４３からの分岐部分と第２流路切換弁４７Ａ〜４７Ｄとの間の部分に設けられている。第８内部連絡管５０Ａ〜５０Ｄにはそれぞれ、第３フィルタ５３Ａ〜５３Ｄが設けられている。第３フィルタ５３Ａ〜５３Ｄは、第８内部連絡管５０Ａ〜５０Ｄを流れる冷媒に同伴する異物を捕捉するための機器である。
【００６６】
また、第４内部連絡管４４Ａ〜４４Ｄにはそれぞれ、過冷却熱交換器５４Ａ〜５４Ｄが設けられており、第９内部連絡管５５Ａ〜５５Ｄが接続されている。
【００６７】
過冷却熱交換器５４Ａ〜５４Ｄは、第９内部連絡管５５Ａ〜５５Ｄを流れる冷媒によって第４内部連絡管４４Ａ〜４４Ｄを流れる冷媒を冷却するための機器であり、例えば、二重管式の熱交換器からなる。そして、過冷却熱交換器５４Ａ〜５４Ｄはそれぞれ、第４内部連絡管４４Ａ〜４４Ｄを流れる冷媒を流すための流路と、第９内部連絡管５５Ａ〜５５Ｄを流れる冷媒を流すための流路と、が形成されている。
【００６８】
第９内部連絡管５５Ａ〜５５Ｄはそれぞれ、その一端側が第４内部連絡管４４Ａ〜４４Ｄの途中部分から分岐されるように接続されており、その他端側が第１０内部連絡管５６の途中部分に合流するように接続されている。そして、第９内部連絡管５５Ａ〜５５Ｄはそれぞれ、途中部分に過冷却熱交換器５４Ａ〜５４Ｄ（第９内部連絡管５５Ａ〜５５Ｄを流れる冷媒を流すための流路）が設けられている。また、第９内部連絡管５５Ａ〜５５Ｄにはそれぞれ、第４フィルタ５７Ａ〜５７Ｄ、及び、過冷却膨張弁５８Ａ〜５８Ｄが設けられている。第４フィルタ５７Ａ〜５７Ｄは、第９内部連絡管５５Ａ〜５５Ｄを流れる冷媒に同伴する異物を捕捉するための機器である。過冷却膨張弁５８Ａ〜５８Ｄは、冷媒を減圧するための機器であり、例えば、開度調節が可能な電動膨張弁からなる。第４フィルタ５７Ａ〜５７Ｄは、第９内部連絡管５５Ａ〜５５Ｄのうち、第４内部連絡管４４Ａ〜４４Ｄからの分岐部分と過冷却熱交換器５４Ａ〜５４Ｄ（第９内部連絡管５５Ａ〜５５Ｄを流れる冷媒を流すための流路）との間の部分に設けられている。過冷却膨張弁５８Ａ〜５８Ｄは、第９内部連絡管５５Ａ〜５５Ｄのうち、第４フィルタ５７Ａ〜５７Ｄと過冷却熱交換器５４Ａ〜５４Ｄ（第９内部連絡管５５Ａ〜５５Ｄを流れる冷媒を流すための流路）との間の部分に設けられている。また、第１０内部連絡管５６には、第１１内部連絡管５９が接続されている。第１１内部連絡管５９は、第３内部連絡管４３に接続されている。このため、第１０内部連絡管５６は、第１１内部連絡管５９を介して第３内部連絡管４３に接続されている。
【００６９】
＜冷媒回路動作＞
次に、空気調和装置１の冷媒回路動作について説明する。上記の回路構成を有する空気調和装置１では、全冷房運転、全暖房運転、冷房主体運転及び暖房主体運転を行うことができる。ここで、全冷房運転は、冷房運転を行う利用ユニット３だけが存在する運転である。全暖房運転は、暖房運転を行う利用ユニット３だけが存在する運転である。冷房主体運転は、冷房運転を行う利用ユニット３及び暖房運転を行う利用ユニット３の両方が混在しているが、熱源ユニット２が熱源側放熱状態（図２の第１熱源側切換弁２２の実線を参照）になっている運転である。暖房主体運転は、冷房運転を行う利用ユニット３及び暖房運転を行う利用ユニット３の両方が混在しているが、熱源ユニット２が熱源側蒸発状態（図２の第１熱源側切換弁２２の破線を参照）になっている運転である。尚、冷媒流路切換ユニット４−１〜４−４はいずれも同じ構成であるため、ここでは、冷媒流路切換ユニット４を区別するための符号の添え字「−１」、「−２」、「−３」、「−４」や冷媒流路切換ユニット４の構成部品を区別するための符号の添え字「Ａ」、「Ｂ」、「Ｃ」、「Ｄ」をできるだけ省略して説明を行う。
【００７０】
−全冷房運転−
全冷房運転の際、例えば、すべての利用ユニット３が冷房運転を行う際には、第１熱源側切換弁２２が熱源側放熱状態に切り換えられ、かつ、第２熱源側切換弁２９が冷媒導入状態に切り換えられて、圧縮機２１、熱源側ファン２８及び利用側ファン３３が駆動される。また、第１流路切換弁４６及び第２流路切換弁４７が開状態にされる。
【００７１】
すると、熱源ユニット２において圧縮機２１から吐出された冷媒は、第１熱源側切換弁２２を通じて熱源側熱交換器２３に送られ、熱源側熱交換器２３において、室外空気と熱交換を行って放熱する。熱源側熱交換器２３において放熱した冷媒は、熱源側膨張弁２４及び第１閉鎖弁２５を通じて熱源ユニット２から流出する。
【００７２】
熱源側膨張弁２４及び第１閉鎖弁２５を通じて熱源ユニット２から流出した冷媒は、第１熱源側冷媒連絡管７−１、冷媒流路切換ユニット４−１の第１内部連絡管４１−１、第１熱源側冷媒連絡管７−２、冷媒流路切換ユニット４−２の第１内部連絡管４１−２、第１熱源側冷媒連絡管７−３、冷媒流路切換ユニット４−３の第１内部連絡管４１−３、第１熱源側冷媒連絡管７−４、冷媒流路切換ユニット４−４の第１内部連絡管４１−４の順に送られる。このとき、冷媒流路切換ユニット４において第１内部連絡管４１を流れる冷媒が第４内部連絡管４４に順次分岐される。そして、第４内部連絡管４４に分岐された冷媒は、その一部が第９内部連絡管５５に分岐され、残りが過冷却熱交換器５４に送られる。第９内部連絡管５５に分岐された冷媒も、過冷却膨張弁５８によって減圧された後に過冷却熱交換器５４に送られる。第４内部連絡管４４を流れる冷媒は、過冷却熱交換器５４において、第９内部連絡管５５を流れる冷媒と熱交換を行って冷却された後に、冷媒流路切換ユニット４から流出する。一方、第９内部連絡管５５を流れる冷媒は、過冷却熱交換器５４において、第４内部連絡管４４を流れる冷媒と熱交換を行って加熱された後に、第１０内部連絡管５６及び第１１内部連絡管５９を通じて第３内部連絡管４３に送られる。
【００７３】
冷媒流路切換ユニット４から流出した冷媒は、第１利用側冷媒連絡管１０を通じて利用ユニット３に送られる。利用ユニット３に送られた冷媒は、利用側膨張弁３１によって減圧された後に、利用側熱交換器３２に送られる。利用側熱交換器３２に送られた冷媒は、室内空気と熱交換を行って蒸発し、利用ユニット３から流出する。
【００７４】
利用ユニット３から流出した冷媒は、第２利用側冷媒連絡管１１を通じて冷媒流路切換ユニット４に送られる。
【００７５】
冷媒流路切換ユニット４に送られた冷媒は、第８内部連絡管５０に送られ、その後、第６内部連絡管４８と第７内部連絡管４９とに分岐して送られる。第６内部連絡管４８に送られた冷媒は、第１流路切換弁４６を通じて第２内部連絡管４２に送られる。また、第７内部連絡管４９に送られた冷媒は、第２流路切換弁４７を通じて第３内部連絡管４３に送られて、第９内部連絡管５５を流れる冷媒と合流する。
【００７６】
冷媒流路切換ユニット４−４の第２内部連絡管４２−４を流れる冷媒は、冷媒流路切換ユニット４−４から流出し、第２熱源側冷媒連絡管８−４、冷媒流路切換ユニット４−３の第２内部連絡管４２−３、第２熱源側冷媒連絡管８−３、冷媒流路切換ユニット４−２の第２内部連絡管４２−２、第２熱源側冷媒連絡管８−２、冷媒流路切換ユニット４−１の第２内部連絡管４２−１、第２熱源側冷媒連絡管８−１の順に送られる。このとき、冷媒流路切換ユニット４において第２内部連絡管４２を流れる冷媒が順次合流する。そして、第２内部連絡管４２を流れる冷媒がすべて合流した後の第２熱源側冷媒連絡管８−１を流れる冷媒が、熱源ユニット２に送られる。また、冷媒流路切換ユニット４−４の第３内部連絡管４３−４を流れる冷媒は、冷媒流路切換ユニット４−４から流出し、第３熱源側冷媒連絡管９−４、冷媒流路切換ユニット４−３の第３内部連絡管４３−３、第３熱源側冷媒連絡管９−３、冷媒流路切換ユニット４−２の第３内部連絡管４３−２、第３熱源側冷媒連絡管９−２、冷媒流路切換ユニット４−１の第３内部連絡管４３−１、第３熱源側冷媒連絡管９−１の順に送られる。このとき、冷媒流路切換ユニット４において第３内部連絡管４３を流れる冷媒が順次合流する。そして、第３内部連絡管４３を流れる冷媒がすべて合流した後の第３熱源側冷媒連絡管９−１を流れる冷媒が、熱源ユニット２に送られる。
【００７７】
熱源ユニット２に送られた冷媒は、第２閉鎖弁２６及び第２熱源側切換弁２９を通じて、また、第３閉鎖弁２７を通じて圧縮機２１に吸入され、再び、圧縮される。
【００７８】
−全暖房運転−
全暖房運転の際、例えば、すべての利用ユニット３が暖房運転を行う際には、第１熱源側切換弁２２が熱源側蒸発状態に切り換えられ、かつ、第２熱源側切換弁２９が冷媒導出状態に切り換えられて、圧縮機２１、熱源側ファン２８及び利用側ファン３３が駆動される。また、第１流路切換弁４６が開状態にされ、第２流路切換弁４７が閉状態にされる。
【００７９】
すると、熱源ユニット２において圧縮機２１から吐出された冷媒は、第２熱源側切換弁２９及び第２閉鎖弁２６を通じて熱源ユニット２から流出する。
【００８０】
第２閉鎖弁２６を通じて熱源ユニット２から流出した冷媒は、第２熱源側冷媒連絡管８−１、冷媒流路切換ユニット４−１の第２内部連絡管４２−１、第２熱源側冷媒連絡管８−２、冷媒流路切換ユニット４−２の第２内部連絡管４２−２、第２熱源側冷媒連絡管８−３、冷媒流路切換ユニット４−３の第２内部連絡管４２−３、第２熱源側冷媒連絡管８−４、冷媒流路切換ユニット４−４の第２内部連絡管４２−４の順に送られる。このとき、冷媒流路切換ユニット４において第２内部連絡管４２を流れる冷媒が第６内部連絡管４８に順次分岐される。そして、第６内部連絡管４８に分岐された冷媒は、第１流路切換弁４６及び第８内部連絡管５０を通じて冷媒流路切換ユニット４から流出する。
【００８１】
冷媒流路切換ユニット４から流出した冷媒は、第２利用側冷媒連絡管１１を通じて利用ユニット３に送られる。利用ユニット３に送られた冷媒は、利用側熱交換器３２に送られる。利用側熱交換器３２に送られた冷媒は、室内空気と熱交換を行って放熱する。利用側熱交換器３２において放熱した冷媒は、利用側膨張弁３１によって減圧された後に、利用ユニット３から流出する。
【００８２】
利用ユニット３から流出した冷媒は、第１利用側冷媒連絡管１０を通じて冷媒流路切換ユニット４に送られる。
【００８３】
冷媒流路切換ユニット４に送られた冷媒は、第４内部連絡管４４を通じて第１内部連絡管４１に送られる。
【００８４】
冷媒流路切換ユニット４−４の第１内部連絡管４１−４を流れる冷媒は、冷媒流路切換ユニット４−４から流出し、第１熱源側冷媒連絡管７−４、冷媒流路切換ユニット４−３の第１内部連絡管４１−３、第１熱源側冷媒連絡管７−３、冷媒流路切換ユニット４−２の第１内部連絡管４１−２、第１熱源側冷媒連絡管７−２、冷媒流路切換ユニット４−１の第１内部連絡管４１−１、第１熱源側冷媒連絡管７−１の順に送られる。このとき、冷媒流路切換ユニット４において第１内部連絡管４１を流れる冷媒が順次合流する。そして、第１内部連絡管４１を流れる冷媒がすべて合流した後の第１熱源側冷媒連絡管７−１を流れる冷媒が、熱源ユニット２に送られる。
【００８５】
熱源ユニット２に送られた冷媒は、第１閉鎖弁２５を通じて熱源側膨張弁２４に送られる。熱源側膨張弁２４に送られた冷媒は、熱源側膨張弁２４によって減圧された後に、熱源側熱交換器２３に送られる。熱源側熱交換器２３に送られた冷媒は、室外空気と熱交換を行って蒸発する。熱源側熱交換器２３において蒸発した冷媒は、第１熱源側切換弁２２を通じて圧縮機２１に吸入され、再び、圧縮される。
【００８６】
−冷房主体運転−
冷房主体運転の際、例えば、冷媒流路切換ユニット４−４に接続される利用ユニット３−４が暖房運転を行い、他の冷媒流路切換ユニット４−１〜４−３に接続される利用ユニット３−１、３−２、３−３が冷房運転を行う際には、第１熱源側切換弁２２が熱源側放熱状態に切り換えられ、かつ、第２熱源側切換弁２９が冷媒導出状態に切り換えられて、圧縮機２１、熱源側ファン２８及び利用側ファン３３が駆動される。また、冷媒流路切換ユニット４−４の第１流路切換弁４６−４が開状態にされ、冷媒流路切換ユニット４−４の第２流路切換弁４７−４が閉状態にされ、冷媒流路切換ユニット４−１〜４−３の第１流路切換弁４６−１、４６−２、４６−３が閉状態にされ、冷媒流路切換ユニット４−１〜４−３の第２流路切換弁４７−１、４７−２、４７−３が開状態にされる。
【００８７】
すると、熱源ユニット２において圧縮機２１から吐出された冷媒は、一部が第１熱源側切換弁２２を通じて熱源側熱交換器２３に送られ、残りが第２熱源側切換弁２９及び第２閉鎖弁２６を通じて熱源ユニット２から流出する。熱源側熱交換器２３に送られた冷媒は、熱源側熱交換器２３において、室外空気と熱交換を行って放熱する。熱源側熱交換器２３において放熱した冷媒は、熱源側膨張弁２４及び第１閉鎖弁２５を通じて熱源ユニット２から流出する。
【００８８】
第２閉鎖弁２６を通じて熱源ユニット２から流出した冷媒は、第２熱源側冷媒連絡管８−１、冷媒流路切換ユニット４−１の第２内部連絡管４２−１、第２熱源側冷媒連絡管８−２、冷媒流路切換ユニット４−２の第２内部連絡管４２−２、第２熱源側冷媒連絡管８−３、冷媒流路切換ユニット４−３の第２内部連絡管４２−３、第２熱源側冷媒連絡管７−４、冷媒流路切換ユニット４−４の第２内部連絡管４２−４の順に送られる。このとき、冷媒流路切換ユニット４−４の第２内部連絡管４２−４を流れる冷媒が第６内部連絡管４８−４に順次分岐される。そして、第６内部連絡管４８−４に分岐された冷媒は、第１流路切換弁４６−４及び第８内部連絡管５０−４を通じて冷媒流路切換ユニット４−４から流出する。
【００８９】
冷媒流路切換ユニット４−４から流出した冷媒は、第２利用側冷媒連絡管１１−４を通じて利用ユニット３−４に送られる。利用ユニット３−４に送られた冷媒は、利用側熱交換器３２−４に送られる。利用側熱交換器３２−４に送られた冷媒は、室内空気と熱交換を行って放熱する。利用側熱交換器３２−４において放熱した冷媒は、利用側膨張弁３１−４によって減圧された後に、利用ユニット３−４から流出する。
【００９０】
利用ユニット３−４から流出した冷媒は、第１利用側冷媒連絡管１０−４を通じて冷媒流路切換ユニット４−４に送られる。
【００９１】
冷媒流路切換ユニット４−４に送られた冷媒は、第４内部連絡管４４−４を通じて第１内部連絡管４１−４に送られる。
【００９２】
熱源側膨張弁２４及び第１閉鎖弁２５を通じて熱源ユニット２から流出した冷媒は、第１熱源側冷媒連絡管７−１、冷媒流路切換ユニット４−１の第１内部連絡管４１−１、第１熱源側冷媒連絡管７−２、冷媒流路切換ユニット４−２の第１内部連絡管４１−２、第１熱源側冷媒連絡管７−３、冷媒流路切換ユニット４−３の第１内部連絡管４１−３の順に送られる。しかも、この冷媒には、冷媒流路切換ユニット４−４の第１内部連絡管４１−４を流れる冷媒が、第１熱源側冷媒連絡管７−４を通じて合流する。このとき、冷媒流路切換ユニット４−１、４−２、４−３において第１内部連絡管４１−１、４１−２、４１−３を流れる冷媒が第４内部連絡管４４−１、４４−２、４４−３に順次分岐される。そして、第４内部連絡管４４―１、４４−２、４４−３に分岐された冷媒は、その一部が第９内部連絡管５５−１、５５−２、５５−３に分岐され、残りが過冷却熱交換器５４−１、５４−２、５４−３に送られる。第９内部連絡管５５−１、５５−２、５５−３に分岐された冷媒も、過冷却膨張弁５８−１、５８−２、５８−３によって減圧された後に過冷却熱交換器５４−１、５４−２、５４−３に送られる。第４内部連絡管４４−１、４４−２、４４−３を流れる冷媒は、過冷却熱交換器５４−１、５４−２、５４−３において、第９内部連絡管５５−１、５５−２、５５−３を流れる冷媒と熱交換を行って冷却された後に、冷媒流路切換ユニット４−１、４−２、４−３から流出する。一方、第９内部連絡管５５−１、５５−２、５５−３を流れる冷媒は、過冷却熱交換器５４−１、５４−２、５４−３において、第４内部連絡管４４−１、４４−２、４４−３を流れる冷媒と熱交換を行って加熱された後に、第１０内部連絡管５６−１、５６−２、５６−３及び第１１内部連絡管５９−１、５９−２、５９−３を通じて第３内部連絡管４３−１、４３−２、４３−３に送られる。
【００９３】
冷媒流路切換ユニット４−１、４−２、４−３から流出した冷媒は、第１利用側冷媒連絡管１０−１、１０−２、１０−３を通じて利用ユニット３−１、３−２、３−３に送られる。利用ユニット３−１、３−２、３−３に送られた冷媒は、利用側膨張弁３１−１、３１−２、３１−３によって減圧された後に、利用側熱交換器３２−１、３２−２、３２−３に送られる。利用側熱交換器３２−１、３２−２、３２−３に送られた冷媒は、室内空気と熱交換を行って蒸発し、利用ユニット３−１、３−２、３−３から流出する。
【００９４】
利用ユニット３−１、３−２、３−３から流出した冷媒は、第２利用側冷媒連絡管１１−１、１１−２、１１−３を通じて冷媒流路切換ユニット４−１、４−２、４−３に送られる。
【００９５】
冷媒流路切換ユニット４−１、４−２、４−３に送られた冷媒は、第８内部連絡管５０−１、５０−２、５０−３、第２流路切換弁４７−１、４７−２、４７−３を含む第７内部連絡管４９−１、４９−２、４９−３を通じて第３内部連絡管４３−１、４３−２、４３−３に送られて、第９内部連絡管５５−１、５５−２、５５−３を流れる冷媒と合流する。
【００９６】
冷媒流路切換ユニット４−３の第３内部連絡管４３−３を流れる冷媒は、冷媒流路切換ユニット４−３から流出し、第３熱源側冷媒連絡管９−３、冷媒流路切換ユニット４−２の第３内部連絡管４３−２、第３熱源側冷媒連絡管９−２、冷媒流路切換ユニット４−１の第３内部連絡管４３−１、第３熱源側冷媒連絡管９−１の順に送られる。このとき、冷媒流路切換ユニット４−１、４−２、４−３において第３内部連絡管４３−１、４３−２、４３−３を流れる冷媒が順次合流する。そして、第３内部連絡管４３−１、４３−２、４３−３を流れる冷媒がすべて合流した後の第３熱源側冷媒連絡管９−１を流れる冷媒が、熱源ユニット２に送られる。
【００９７】
熱源ユニット２に送られた冷媒は、第３閉鎖弁２７を通じて圧縮機２１に吸入され、再び、圧縮される。
【００９８】
−暖房主体運転−
暖房主体運転の際、例えば、冷媒流路切換ユニット４−４に接続される利用ユニット３−４が冷房運転を行い、他の冷媒流路切換ユニット４−１〜４−３に接続される利用ユニット３−１、３−２、３−３が暖房運転を行う際には、第１熱源側切換弁２２が熱源側蒸発状態に切り換えられ、かつ、第２熱源側切換弁２９が冷媒導出状態に切り換えられて、圧縮機２１、熱源側ファン２８及び利用側ファン３３が駆動される。また、冷媒流路切換ユニット４−４の第１流路切換弁４６−４が閉状態にされ、冷媒流路切換ユニット４−４の第２流路切換弁４７−４が開状態にされ、冷媒流路切換ユニット４−１〜４−３の第１流路切換弁４６−１、４６−２、４６−３が開状態にされ、冷媒流路切換ユニット４−１〜４−３の第２流路切換弁４７−１、４７−２、４７−３が閉状態にされる。
【００９９】
すると、熱源ユニット２において圧縮機２１から吐出された冷媒は、第２熱源側切換弁２９及び第２閉鎖弁２６を通じて熱源ユニット２から流出する。
【０１００】
第２閉鎖弁２６を通じて熱源ユニット２から流出した冷媒は、第２熱源側冷媒連絡管８−１、冷媒流路切換ユニット４−１の第２内部連絡管４２−１、第２熱源側冷媒連絡管８−２、冷媒流路切換ユニット４−２の第２内部連絡管４２−２、第２熱源側冷媒連絡管８−３、冷媒流路切換ユニット４−３の第２内部連絡管４２−３の順に送られる。このとき、冷媒流路切換ユニット４−１、４−２、４−３の第２内部連絡管４２−１、４２−２、４２−３を流れる冷媒が第６内部連絡管４８−１、４８−２、４８−３に順次分岐される。そして、第６内部連絡管４８−１、４８−２、４８−３に分岐された冷媒は、第１流路切換弁４６−１、４６−２、４６−３及び第８内部連絡管５０−１、５０−２、５０−３を通じて冷媒流路切換ユニット４−１、４−２、４−３から流出する。
【０１０１】
冷媒流路切換ユニット４−１、４−２、４−３から流出した冷媒は、第２利用側冷媒連絡管１１−１、１１−２、１１−３を通じて利用ユニット３−１、３−２、３−３に送られる。利用ユニット３−１、３−２、３−３に送られた冷媒は、利用側熱交換器３２−１、３２−２、３２−３に送られる。利用側熱交換器３２−１、３２−２、３２−３に送られた冷媒は、室内空気と熱交換を行って放熱する。利用側熱交換器３２−１、３２−２、３２−３において放熱した冷媒は、利用側膨張弁３１−１、３１−２、３１−３によって減圧された後に、利用ユニット３−１、３−２、３−３から流出する。
【０１０２】
利用ユニット３−１、３−２、３−３から流出した冷媒は、第１利用側冷媒連絡管１０−１、１０−２、１０−３を通じて冷媒流路切換ユニット４−１、４−２、４−３に送られる。
【０１０３】
冷媒流路切換ユニット４−１、４−２、４−３に送られた冷媒は、第４内部連絡管４４−１、４４−２、４４−３を通じて第１内部連絡管４１−１、４４−２、４４−３に送られる。
【０１０４】
冷媒流路切換ユニット４−３の第１内部連絡管４１−３を流れる冷媒は、冷媒流路切換ユニット４−３から流出し、第１熱源側冷媒連絡管７−３、冷媒流路切換ユニット４−２の第１内部連絡管４１−２、第１熱源側冷媒連絡管７−２、冷媒流路切換ユニット４−１の第１内部連絡管４１−１、第１熱源側冷媒連絡管７−１の順に送られる。このとき、冷媒流路切換ユニット４−１、４−２、４−３において第１内部連絡管４１−１、４１−２、４１−３を流れる冷媒が順次合流する。しかも、この冷媒の一部は、第１熱源側冷媒連絡管７−４を通じて冷媒流路切換ユニット４−４に送られる。そして、冷媒流路切換ユニット４−４に送られた冷媒を除く第１内部連絡管４１−１、４１−２、４１−３を流れる冷媒がすべて合流した後の第１熱源側冷媒連絡管７−１を流れる冷媒は、熱源ユニット２に送られる。
【０１０５】
冷媒流路切換ユニット４−４に送られた冷媒は、第１内部連絡管４１−４から第４内部連絡管４４−４に順次分岐される。そして、第４内部連絡管４４−４に分岐された冷媒は、その一部が第９内部連絡管５５−４に分岐され、残りが過冷却熱交換器５４−４に送られる。第９内部連絡管５５−４に分岐された冷媒も、過冷却膨張弁５８−４によって減圧された後に過冷却熱交換器５４−４に送られる。第４内部連絡管４４−４を流れる冷媒は、過冷却熱交換器５４−４において、第９内部連絡管５５−４を流れる冷媒と熱交換を行って冷却された後に、冷媒流路切換ユニット４−４から流出する。一方、第９内部連絡管５５−４を流れる冷媒は、過冷却熱交換器５４−４において、第４内部連絡管４４−４を流れる冷媒と熱交換を行って加熱された後に、第１０内部連絡管５６−４及び第１１内部連絡管５９−４を通じて第３内部連絡管４３−４に送られる。
【０１０６】
冷媒流路切換ユニット４−４から流出した冷媒は、第１利用側冷媒連絡管１０−４を通じて利用ユニット３−４に送られる。利用ユニット３−４に送られた冷媒は、利用側膨張弁３１−４によって減圧された後に、利用側熱交換器３２−４に送られる。利用側熱交換器３２−４に送られた冷媒は、室内空気と熱交換を行って蒸発し、利用ユニット３−４から流出する。
【０１０７】
利用ユニット３−４から流出した冷媒は、第２利用側冷媒連絡管１１−４を通じて冷媒流路切換ユニット４−４に送られる。
【０１０８】
冷媒流路切換ユニット４−４に送られた冷媒は、第８内部連絡管５０−４、第２流路切換弁４７−４を含む第７内部連絡管４９−４を通じて第３内部連絡管４３−４に送られて、第９内部連絡管５５−４を流れる冷媒と合流する。
【０１０９】
冷媒流路切換ユニット４−４の第３内部連絡管４３−４を流れる冷媒は、冷媒流路切換ユニット４−４から流出し、第３熱源側冷媒連絡管９−３、冷媒流路切換ユニット４−２の第３内部連絡管４３−２、第３熱源側冷媒連絡管９−２、冷媒流路切換ユニット４−１の第３内部連絡管４３−１、第３熱源側冷媒連絡管９−１の順に送られる。第３熱源側冷媒連絡管９−１を流れる冷媒は、熱源ユニット２に送られる。
【０１１０】
第１熱源側冷媒連絡管７−１を通じて熱源ユニット２に送られた冷媒は、第１閉鎖弁２５を通じて熱源側膨張弁２４に送られる。熱源側膨張弁２４に送られた冷媒は、熱源側膨張弁２４によって減圧された後に、熱源側熱交換器２３に送られる。熱源側熱交換器２３に送られた冷媒は、室外空気と熱交換を行って蒸発する。熱源側熱交換器２３において蒸発した冷媒は、第１熱源側切換弁２２を通じて圧縮機２１の吸入側に送られる。そして、この冷媒は、第３熱源側冷媒連絡管９−１を通じて熱源ユニット２に送られた冷媒とともに、圧縮機２１に吸入され、再び、圧縮される。
【０１１１】
（２）冷媒流路切換ユニットの詳細構成
図４は、冷媒流路切換ユニット４の外観（前側面板１２３に電装品ボックス１４０が装着された状態）を示す斜視図である。図５は、冷媒流路切換ユニット４の回路構成を示す斜視図である。図６は、冷媒流路切換ユニット４の外観（前側面板１２３に電装品ボックス１４０が装着された状態）を示す上面図である。図７は、冷媒流路切換ユニット４の回路構成を示す上面図である。図８は、冷媒流路切換ユニット４の外観（前側面板１２３に電装品ボックス１４０が装着された状態）を示す左側面図である。図９は、冷媒流路切換ユニット４の回路構成を示す左側面図である。図１０は、冷媒流路切換ユニット４の外観（前側面板１２３に電装品ボックス１４０が装着された状態）を示す右側面図である。図１１は、冷媒流路切換ユニット４の外観を示す後側面図である。図１２は、冷媒流路切換ユニット４の外観（前側面板１２３に電装品ボックス１４０が装着された状態）を示す前側面図である。図１３は、熱源側連絡ノズル（熱源側小ノズル７１、７２、熱源側中ノズル８１、８２及び熱源側大ノズル９１、９２）の詳細を示す図である。図１４は、冷媒流路切換ユニット４の外観（前側面板１２３に装着された電装品ボックス１４０のボックス蓋１４２が取り外された状態）を示す前側面図である。図１５は、冷媒流路切換ユニット４の外観（左側面板１２５に電装品ボックス１４０が装着された状態）を示す斜視図である。図１６は、冷媒流路切換ユニット４の外観（左側面板１２５に装着された電装品ボックス１４０のボックス蓋１４２が取り外された状態）を示す左側面図である。図１７は、冷媒流路切換ユニット４の外観（右側面板１２６に電装品ボックス１４０が装着された状態）を示す斜視図である。図１８は、冷媒流路切換ユニット４の外観（右側面板１２６に装着された電装品ボックス１４０のボックス蓋１４２が取り外された状態）を示す右側面図である。図１９は、冷媒流路切換ユニット４−１、４−２、４−３、４−４間接続の構成を示す斜視図（電装品ボックス１４０を前側面板１２３に装着した状態）である。図２０は、冷媒流路切換ユニット４−１、４−２、４−３、４−４間接続の構成を示す上面図（電装品ボックス１４０を前側面板１２３に装着した状態）である。図２１は、冷媒流路切換ユニット４−１、４−２、４−３、４−４間接続の構成を示す斜視図（電装品ボックス１４０を左側面板１２５や右側面板１２６に装着した状態）である。図２２は、冷媒流路切換ユニット４−１、４−２、４−３、４−４間接続の構成を示す上面図（電装品ボックス１４０を左側面板１２５や右側面板１２６に装着した状態）である。
【０１１２】
＜ユニット構成＞
次に、冷媒流路切換ユニット４のユニット構成について説明する。尚、冷媒流路切換ユニット４−１〜４−４はいずれも同じ構成であるため、ここでも、冷媒流路切換ユニット４を区別するための符号の添え字「−１」、「−２」、「−３」、「−４」をできるだけ省略して説明を行う。また、以下の説明において、「上」、「下」、「左」、「右」、「前」及び「後」といった方向は、図４〜図１８に示す方向を意味する。冷媒流路切換ユニット４は、主として、ケース１２０と、電装品ボックス１４０と、を有している。ケース１２０内には、上記に説明した回路構成（内部連絡管や流路切換弁等）が収容されている。電装品ボックス１４０には、ケース１２０内の機器（流路切換弁や過冷却膨張弁等）を制御する電装部品が収容されている。
【０１１３】
−全体−
ケース１２０は、略直方体形状の箱体であり、主として、ケース１２０の上面を構成する上面板１２１と、ケース１２０の下面を構成する下面板１２２と、ケース１２０の側面を構成する側面板１２３、１２４、１２５、１２６と、を有している。ここで、前側面板１２３は、ケース１２０の側面のうち前側面を構成している。後側面板１２４は、ケース１２０の側面のうち前側面（前側面板１２３）に対向する後側面を構成している。左側面板１２５は、ケース１２０の側面のうち前側面（前側面板１２３）及び後側面（後側面板１２４）に交差する方向を向く左側面を構成している。右側面板１２６は、ケース１２０の側面のうち左側面（左側面板１２５）に対向する右側面を構成している。
【０１１４】
ここで、冷媒流路切換ユニット４は、吊り下げ式のユニットである。そして、ケース１２０には、上方から下方に向かって延びる吊りボルト等の固定具を介して設置場所に固定するための複数（ここでは、４つ）の被固定具１２７が設けられている。具体的には、左側面板１２５の前側面寄りの端部及び後側面寄りの端部に被固定具装着部１２８、１２９が形成されており、被固定具１２７がネジ止め等によって被固定具装着部１２８、１２９に固定されている。また、右側面板１２６の前側面寄りの端部及び後側面寄りの端部には、被固定具装着部１３０、１３１が形成されており、被固定具１２７がネジ止め等によって被固定具装着部１３０、１３１に固定されている。ここで、被固定具装着部１３０は、右側面板１２６の前側面寄りの端部において、左側面板１２５の前側面寄りの端部に形成された被固定具装着部１２８に対向する位置に配置されており、被固定具装着部１３１は、右側面板１２６の後側面寄りの端部において、左側面板１２５の後側面寄りの端部に形成された被固定具装着部１３１に対向する位置に配置されている。
【０１１５】
−熱源側連絡ノズル及び利用側連絡ノズル−
左側面板１２５には、熱源側冷媒連絡管７、８、９に接続される第１熱源側連絡ノズルとしての第１熱源側小ノズル７１、第１熱源側中ノズル８１及び第１熱源側大ノズル９１が設けられている。また、右側面板１２６には、熱源側冷媒連絡管７、８、９に接続される第２熱源側連絡ノズルとしての第２熱源側小ノズル７２、第２熱源側中ノズル８２及び第２熱源側大ノズル９２が設けられている。したがって、冷媒流路切換ユニット４には、熱源側連絡ノズル（ここでは、熱源側小ノズル、熱源側中ノズル及び熱源側大ノズル）が２組設けられている。また、後側面板１２４には、利用側冷媒連絡管１０、１１に接続される利用側連絡ノズルとしての利用側小ノズル１０１Ａ〜１０１Ｄ、利用側大ノズル１１１Ａ〜１１１Ｄが複数（ここでは、４組）設けられている。ここで、熱源側連絡ノズル７１、７２、８１、８２、９１、９２及び利用側連絡ノズル１０１Ａ〜１０１Ｄ、１１１Ａ〜１１１Ｄにはそれぞれ、周囲に断熱材が装着されるが、ここでは図示を省略している。
【０１１６】
第１熱源側小ノズル７１は、左側面板１２５から左方に向かって突出する管状部分である。第１熱源側小ノズル７１は、左側面板１２５のうち後側面板１２３に近い方（少なくとも前後方向の中央よりも後方）に寄せて配置されている。具体的には、第１熱源側小ノズル７１は、左側面板１２５の後側面板１２３に近い部分のうち、被固定具装着部１２９の前方で、かつ、上下方向の中央付近に配置されている。そして、第１熱源側小ノズル７１は、左側面板１２５を貫通しており、ケース１２０内において、第１内部連絡管４１の一端側に接続されている。
【０１１７】
第２熱源側小ノズル７２は、右側面板１２６から右方に向かって突出する管状部分である。第２熱源側小ノズル７２は、第１熱源側小ノズル７１と同じ径を有している。第２熱源側小ノズル７２は、右側面板１２６のうち後側面板１２３に近い方（少なくとも前後方向の中央よりも後方）に寄せて配置されている。具体的には、第２熱源側小ノズル７２は、右側面板１２６の後側面板１２３に近い部分のうち、被固定具装着部１３１の前方で、かつ、上下方向の中央付近に配置されている。第２熱源側小ノズル７２は、第１熱源側小ノズル７１を左側面板１２５における軸心方向に沿って仮想的に右側面板１２６に向かって延ばした場合に右側面板１２６に当接する位置に配置されている（ノズル延長線Ｐ１参照）。ここで、ノズル延長線Ｐ１は、第１熱源側小ノズル７１及び第１熱源側小ノズル７２の管中心（軸心）を通る線である。そして、第２熱源側小ノズル７２は、右側面板１２６を貫通しており、ケース１２０内において、第１内部連絡管４１の他端側に接続されている。
【０１１８】
第１熱源側中ノズル８１は、左側面板１２５から左方に向かって突出する管状部分である。第１熱源側中ノズル８１は、第１熱源側小ノズル７１よりも大径である。第１熱源側中ノズル８１は、左側面板１２５のうち後側面板１２３に近い方（少なくとも前後方向の中央よりも後方）に寄せて配置されている。具体的には、第１熱源側中ノズル８１は、左側面板１２５の後側面板１２３に近い部分のうち、被固定具装着部１２９の前方で、かつ、第１熱源側小ノズル７１の上方に配置されている。第１熱源側小ノズル７１及び第１熱源側中ノズル８１は、左側面板１２５の上下方向に沿って一列に並んで配置されている（配列方向線Ｐ４参照）。ここで、配列方向線Ｐ４は、第１熱源側小ノズル７１及び第１熱源側中ノズル８１の管中心を結ぶ線（言い換えれば、左側面板１２５においてノズル延長線Ｐ１、Ｐ２に直交する線）である。そして、第１熱源側中ノズル８１は、左側面板１２５を貫通しており、ケース１２０内において、第２内部連絡管４２の一端側に接続されている。
【０１１９】
第２熱源側中ノズル８２は、右側面板１２６から右方に向かって突出する管状部分である。第２熱源側中ノズル８２は、第１熱源側中ノズル７２よりも大径である。また、第２熱源側中ノズル８２は、第１熱源側中ノズル８１と同じ径を有している。第２熱源側中ノズル８２は、右側面板１２６のうち後側面板１２３に近い方（少なくとも前後方向の中央よりも後方）に寄せて配置されている。具体的には、第２熱源側中ノズル８２は、右側面板１２６の後側面板１２３に近い部分のうち、被固定具装着部１３１の前方で、かつ、第２熱源側小ノズル７２の上方に配置されている。また、第２熱源側中ノズル８２は、第１熱源側中ノズル８１を左側面板１２５における軸心方向に沿って仮想的に右側面板１２６に向かって延ばした場合に右側面板１２６に当接する位置に配置されている（ノズル延長線Ｐ２参照）。ここで、ノズル延長線Ｐ２は、第１熱源側中ノズル８１及び第２熱源側中ノズル８２の管中心（軸心）を通る線である。また、第２熱源側小ノズル７２及び第２熱源側中ノズル８２は、右側面板１２６の上下方向に沿って一列に並んで配置されている（配列方向線Ｐ４参照）。ここで、配列方向線Ｐ４は、第２熱源側小ノズル７２及び第２熱源側中ノズル８２の管中心を結ぶ線（言い換えれば、右側面板１２６においてノズル延長線Ｐ１、Ｐ２に直交する線）である。そして、第２熱源側中ノズル８２は、右側面板１２６を貫通しており、ケース１２０内において、第２内部連絡管４２の他端側に接続されている。
【０１２０】
第１熱源側大ノズル９１は、左側面板１２５から左方に向かって突出する管状部分である。第１熱源側大ノズル９１は、第１熱源側小ノズル７１や第１熱源側中ノズル８１よりも大径である。第１熱源側大ノズル９１は、左側面板１２５のうち後側面板１２３に近い方（少なくとも前後方向の中央よりも後方）に寄せて配置されている。具体的には、第１熱源側大ノズル９１は、左側面板１２５の後側面板１２３に近い部分のうち、被固定具装着部１２９の前方で、かつ、第１熱源側小ノズル７１の下方に配置されている。言い換えれば、第１熱源側小ノズル７１は、第１熱源側中ノズル８１と第１熱源側大ノズル９１との間に配置されている。また、第１熱源側小ノズル７１、第１熱源側中ノズル８１及び第１熱源側大ノズル９１は、左側面板１２５の上下方向に沿って一列に並んで配置されている（配列方向線Ｐ４参照）。ここで、配列方向線Ｐ４は、第１熱源側小ノズル７１、第１熱源側中ノズル８１及び第１熱源側大ノズル９１の管中心を結ぶ線（言い換えれば、左側面板１２５においてノズル延長線Ｐ１、Ｐ２、Ｐ３に直交する線）である。そして、第１熱源側大ノズル９１は、左側面板１２５を貫通しており、ケース１２０内において、第３内部連絡管４３の一端側に接続されている。
【０１２１】
第２熱源側大ノズル９２は、右側面板１２６から右方に向かって突出する管状部分である。第２熱源側大ノズル９２は、第２熱源側小ノズル７２や第２熱源側中ノズル８２よりも大径である。また、第２熱源側大ノズル９２は、第１熱源側大ノズル９１と同じ径を有している。第２熱源側大ノズル９２は、右側面板１２６のうち後側面板１２３に近い方（少なくとも前後方向の中央よりも後方）に寄せて配置されている。具体的には、第２熱源側大ノズル９２は、右側面板１２６の後側面板１２３に近い部分のうち、被固定具装着部１３１の前方で、かつ、第２熱源側小ノズル７２の下方に配置されている。言い換えれば、第２熱源側小ノズル７２は、第２熱源側中ノズル８２と第２熱源側大ノズル９２との間に配置されている。また、第２熱源側大ノズル９２は、第１熱源側大ノズル９１を左側面板１２５における軸心方向に沿って仮想的に右側面板１２６に向かって延ばした場合に右側面板１２６に当接する位置に配置されている（ノズル延長線Ｐ３参照）。ここで、ノズル延長線Ｐ３は、第１熱源側大ノズル９１及び第２熱源側大ノズル９２の管中心（軸心）を通る線である。また、第２熱源側小ノズル７２、第２熱源側中ノズル８２及び第２熱源側大ノズル９２は、右側面板１２６の上下方向に沿って一列に並んで配置されている（配列方向線Ｐ４参照）。配列方向線Ｐ４は、第２熱源側小ノズル７２、第２熱源側中ノズル８２及び第２熱源側大ノズル９２の管中心を結ぶ線（言い換えれば、右側面板１２６においてノズル延長線Ｐ１、Ｐ２、Ｐ３に直交する線）である。そして、第２熱源側大ノズル９２は、右側面板１２６を貫通しており、ケース１２０内において、第３内部連絡管４３の他端側に接続されている。
【０１２２】
第１熱源側連絡ノズル（第１熱源側小ノズル７１、第１熱源側中ノズル８１及び第１熱源側大ノズル９１）の長さＬ１は、左側面板１２５から１００ｍｍ以上である。そして、第１熱源側小ノズル７１、第１熱源側中ノズル８１及び第１熱源側大ノズル９１は、同じ長さである。また、第２熱源側連絡ノズル（第２熱源側小ノズル７２、第２熱源側中ノズル８２及び第２熱源側大ノズル９２）の長さＬ２は、右側面板１２６から１００ｍｍ以上である。そして、第２熱源側小ノズル７２、第２熱源側中ノズル８２及び第２熱源側大ノズル９２は、同じ長さである。
【０１２３】
第１熱源側連絡ノズル（第１熱源側小ノズル７１、第１熱源側中ノズル８１及び第１熱源側大ノズル９１）、及び、第２熱源側連絡ノズル（第２熱源側小ノズル７２、第２熱源側中ノズル８２及び第２熱源側大ノズル９２）には、少なくとも２つの異なる径を有する異径部が形成されている。ここで、異径部の径のうちの１つは、各連絡ノズルの異径部以外の部分（各連絡ノズルの根元部分から異径部までの間の部分）の径と同じであってもよい。ここでは、第１熱源側連絡ノズル及び第２熱源側連絡ノズルのそれぞれに、先端部に向かって径が段階的に変化する形状をなす異径部が形成されている。
【０１２４】
具体的には、第１熱源側小ノズル７１及び第２熱源側小ノズル７２には、径が先端部に向かって４段階に小さくなるように変化する異径部７３が形成されている。異径部７３は、先端部に向かって順に、最も大径の第１部７４（径ｄ１１）、第１部７４よりも径が小さい第２部７５（径ｄ１２）、第２部７５よりも径が小さい第３部７６（径ｄ１３）、及び、第３部７６よりも径が小さい第４部７７（径ｄ１４）を有している。そして、異径部７３は、第１部７４（切断線Ｘ１）、第２部７５（切断線Ｘ２）、及び、第３部７６（切断線Ｘ３）のいずれかの位置で切断されることによって、又は、いずれの位置でも切断されないことによって、第１熱源側小ノズル７１及び第２熱源側小ノズル７２の径をｄ１１、ｄ１２、ｄ１３及びｄ１４のいずれかに変更できるようになっている。尚、異径部７３は、径が４段階に変化するものに限定されず、２段階や３段階に変化するものであってもよいし、５段階以上に変化するものであってもよい。
【０１２５】
また、第１熱源側中ノズル８１及び第２熱源側中ノズル８２には、径が先端部に向かって２段階に小さくなるように変化する異径部８３が形成されている。異径部８３は、先端部に向かって順に、最も大径の第１部８４（径ｄ２１）、及び、第１部８４よりも径が小さい第２部８５（径ｄ２２）を有している。ここで、異径部８３の第１部８４は、異径部７３の第１部７４及び第２部７５の合計長さと同じ長さを有している。異径部８３の第２部８５は、異径部７３の第３部７６及び第４部７７の合計長さと同じ長さを有している。異径部８３の第１部８４の径ｄ２１は、異径部７３の第１部７４及び第２部７５の径ｄ１１、ｄ１２よりも大きい。異径部８３の第２部８５の径ｄ２２は、異径部７３の第３部７６及び第４部７７の径ｄ１３、ｄ１４よりも大きい。そして、異径部８３は、第１部８４（切断線Ｘ１、切断線Ｘ２）、及び、第２部８５（切断線Ｘ３）のいずれかの位置で切断されることによって、又は、いずれの位置でも切断されないことによって、第１熱源側中ノズル８１及び第２熱源側中ノズル８２の径をｄ２１及びｄ２２のいずれかに変更できるようになっている。尚、異径部８３は、径が２段階に変化するものに限定されず、３段階以上に変化するものであってもよい。
【０１２６】
また、第１熱源側大ノズル９１及び第２熱源側大ノズル９２には、径が先端部に向かって３段階に小さくなるように変化する異径部９３が形成されている。異径部９３は、先端部に向かって順に、最も大径の第１部９４（径ｄ３１）、第２部９４よりも径が小さい第２部９５（径ｄ３２）、及び、第２部９５よりも径が小さい第３部９６（径ｄ３３）を有している。ここで、異径部９３の第１部８４は、異径部７３の第１部７４と同じ長さを有している。異径部９３の第２部９５は、異径部７３の第１部７５及び第３部７６の合計長さと同じ長さを有している。異径部９３の第３部９６は、異径部７３の第４部７７と同じ長さを有している。異径部９３の第１部９４の径ｄ３１は、異径部７３の第１部７４の径ｄ１１や異径部８３の第１部８４の径ｄ２１よりも大きい。異径部９３の第２部９５の径ｄ３２は、異径部７３の第２部７５及び第３部７６の径ｄ１３、ｄ１４や異径部８３の第１部８４の径ｄ２１及び第２部８５の径ｄ２２よりも大きい。異径部９３の第３部９６の径ｄ３３は、異径部７３の第４部７７や異径部８３の第２部８５の径ｄ２２よりも大きい。そして、異径部９３は、第１部９４（切断線Ｘ１）、及び、第２部９５（切断線Ｘ２、Ｘ３）のいずれかの位置で切断されることによって、又は、いずれの位置でも切断されないことによって、第１熱源側大ノズル９１及び第２熱源側大ノズル９２の径をｄ３１、ｄ３２及びｄ３３のいずれかに変更できるようになっている。尚、異径部９３は、径が３段階に変化するものに限定されず、２段階に変化するものであってもよいし、４段階以上に変化するものであってもよい。
【０１２７】
第１熱源側連絡ノズル間の間隔、及び、第２熱源側連絡ノズル間の間隔は、４０ｍｍ以上である。具体的には、互いに隣り合う第１熱源側小ノズル７１及び第１熱源側中ノズル８１間、及び、互いに隣り合う第２熱源側小ノズル７２及び第２熱源側中ノズル８２間においては、両ノズル間の間隔が最小となる第１部７４と第１部８４との間隔Ｓ１が、４０ｍｍ以上である。また、互いに隣り合う第１熱源側小ノズル７１及び第１熱源側大ノズル９１間、及び、互いに隣り合う第２熱源側小ノズル７２及び第２熱源側大ノズル９２間においては、両ノズル間の間隔が最小となる第１部７４と第１部９４との間隔Ｓ２が、４０ｍｍ以上である。
【０１２８】
利用側小ノズル１０１Ａ〜１０１Ｄは、後側面板１２４から後方に向かって突出する管状部分である。利用側小ノズル１０１Ａ〜１０１Ｄは、左右方向に並んで配置されている。また、利用側小ノズル１０１Ａ〜１０１Ｄは、後側面板１２４のうち上面板１２１に近い方（少なくとも上下方向の中央よりも上方）に寄せて配置されている。そして、利用側小ノズル１０１Ａ〜１０１Ｄは、後側面板１２４を貫通しており、ケース１２０内において、第４内部連絡管４４Ａ〜４４Ｄの他端側に接続されている。
【０１２９】
利用側大ノズル１１１は、後側面板１２４から後方に向かって突出する管状部分である。利用側大ノズル１１１は、利用側小ノズル１０１よりも大径である。利用側大ノズル１１１Ａ〜１１１Ｄは、左右方向に並んで配置されている。また、利用側大ノズル１１１Ａ〜１１１Ｄは、後側面板１２４のうち、利用側小ノズル１０１Ａ〜１０１Ｄの下方に配置されている。そして、利用側大ノズル１１１Ａ〜１１１Ｄは、後側面板１２４を貫通しており、ケース１２０内において、第５内部連絡管４５Ａ〜４５Ｄ（第８内部連絡管５０Ａ〜５０Ｄ）の他端側に接続されている。
【０１３０】
−内部連絡管−
第１内部連絡管４１は、ケース１２０内において、第１熱源側小ノズル７１側の端部から第２熱源側小ノズル７２側の端部まで、左側面板１２５、前側面板１２３、右側面板１２６の順に沿うように延びている。尚、熱源側小ノズル７１、７２は、第１内部連絡管４１の一部であるとも言えるが、ここでは、説明の便宜上、ケース１２０内にある部分を第１内部連絡管４１と呼び、ケース１２０外にある部分を熱源側小ノズル７１、７２と呼ぶようにしている。
【０１３１】
第２内部連絡管４２は、ケース１２０内において、第１熱源側中ノズル８１側の端部から第２熱源側中ノズル８２側の端部まで、ノズル延長線Ｐ２を通って真っ直ぐに延びている。尚、熱源側中ノズル８１、８２は、第２内部連絡管４２の一部であるとも言えるが、ここでは、説明の便宜上、ケース１２０内にある部分を第２内部連絡管４２と呼び、ケース１２０外にある部分を熱源側中ノズル８１、８２と呼ぶようにしている。
【０１３２】
第３内部連絡管４３は、ケース１２０内において、第１熱源側大ノズル９１側の端部から第２熱源側大ノズル９２側の端部まで、ノズル延長線Ｐ３を通って真っ直ぐに延びている。尚、熱源側大ノズル９１、９２は、第３内部連絡管４３の一部であるとも言えるが、ここでは、説明の便宜上、ケース１２０内にある部分を第３内部連絡管４３と呼び、ケース１２０外にある部分を熱源側大ノズル９１、９２と呼ぶようにしている。
【０１３３】
第１０内部連絡管５６は、ケース１２０内において、第３内部連絡管４３よりも少し前方かつ下方の位置において、左右方向に真っ直ぐに延びている。
【０１３４】
第１１内部連絡管５９は、ケース１２０内において、第３内部連絡管４３の途中部分と第３内部連絡管４３の途中部分とを接続している。
【０１３５】
第４内部連絡管４４Ａ〜４４Ｄはそれぞれ、ケース１２０内において、第１内部連絡管４１のうち前側面板１２３に沿う部分から分岐されており、後方に向かって延びている。また、第４内部連絡管４４Ａ〜４４Ｄは、左右方向に並んで配置されている。第４内部連絡管４４Ａ〜４４Ｄは、後方に向かう途中において、第２内部連絡管４２と第３内部連絡管４３との間を横切って、後側面板１２４側、言い換えれば、利用側小ノズル１０１Ａ〜１０１Ｄまで延びている。第４内部連絡管４４Ａ〜４４Ｄの途中部分からはそれぞれ、第９内部連絡管５５Ａ〜５５Ｄが分岐されている。また、第４内部連絡管４４Ａ〜４４Ｄのうち第９内部連絡管５５Ａ〜５５Ｄが分岐された部分よりも後方の位置には、過冷却熱交換器５４Ａ〜５４Ｄが設けられている。したがって、第４内部連絡管４４Ａ〜４４Ｄはそれぞれ、過冷却熱交換器５４Ａ〜５４Ｄを前後方向に通過して後方に向かって延びている。尚、利用側小ノズル１０１Ａ〜１０１Ｄは、第４内部連絡管４４Ａ〜４４Ｄの一部であるとも言えるが、ここでは、説明の便宜上、ケース１２０内にある部分を第４内部連絡管４４Ａ〜４４Ｄと呼び、ケース１２０外にある部分を利用側小ノズル１０１Ａ〜１０１Ｄと呼ぶようにしている。
【０１３６】
また、第９内部連絡管５５Ａ〜５５Ｄも過冷却熱交換器５４Ａ〜５４Ｄを前後方向に通過して後方に向かって延びており、そして、第１０内部連絡管５６に接続されている。第９内部連絡管５５Ａ〜５５Ｄの途中部分にはそれぞれ、第４フィルタ５７Ａ〜５７Ｄ、及び、過冷却膨張弁５８Ａ〜５８Ｄが設けられている。過冷却膨張弁５８Ａ〜５８Ｄはそれぞれ、ケース１２０内の空間のうち前後方向の中央よりも前方の位置に、左右方向に並んで配置されている。言い換えれば、過冷却膨張弁５８Ａ〜５８Ｄは、ケース１２０の左側面及び右側面（２つの対向する側面）に沿って配置されている。また、過冷却膨張弁５８Ａ〜５８Ｄはそれぞれ、コイル部がケース１２０内の上部空間に位置する姿勢で配置されている。
【０１３７】
第５内部連絡管４５Ａ〜４５Ｄを構成する第６内部連絡管４８Ａ〜４８Ｄはそれぞれ、ケース１２０内において、第２内部連絡管４２の途中部分から分岐されており、後方に向かって延び、第５内部連絡管４５Ａ〜４５Ｄを構成する第８内部連絡管５０Ａ〜５０Ｄに接続されている。第６内部連絡管４８Ａ〜４８Ｄの途中部分にはそれぞれ、第１フィルタ５１Ａ〜５１Ｄ、及び、第１流路切換弁４６Ａ〜４６Ｄが設けられている。第１流路切換弁４６Ａ〜４６Ｄはそれぞれ、ケース１２０内の空間のうち前後方向の中央よりも前方で、かつ、過冷却膨張弁５８Ａ〜５８Ｄよりも後方の位置に、左右方向に並んで配置されている。言い換えれば、第１流路切換弁４６Ａ〜４６Ｄは、ケース１２０の左側面及び右側面（２つの対向する側面）配置されている。また、第１流路切換弁４６Ａ〜４６Ｄはそれぞれ、コイル部がケース１２０内の上部空間に位置する姿勢で配置されている。
【０１３８】
第５内部連絡管４５Ａ〜４５Ｄを構成する第７内部連絡管４９Ａ〜４９Ｄはそれぞれ、ケース１２０内において、第３内部連絡管４３の途中部分から分岐されており、後方に向かって延び、第５内部連絡管４５Ａ〜４５Ｄを構成する第８内部連絡管５０Ａ〜５０Ｄに接続されている。第７内部連絡管４９Ａ〜４９Ｄの途中部分にはそれぞれ、第２フィルタ５２Ａ〜５２Ｄ、及び、第２流路切換弁４７Ａ〜４７Ｄが設けられている。第２流路切換弁４７Ａ〜４７Ｄはそれぞれ、ケース１２０内の空間のうち前後方向の中央よりも前方で、かつ、過冷却膨張弁５８Ａ〜５８Ｄよりも前方の位置に、左右方向に並んで配置されている。言い換えれば、第２流路切換弁４７Ａ〜４７Ｄは、ケース１２０の左側面及び右側面（２つの対向する側面）配置されている。また、第２流路切換弁４７Ａ〜４７Ｄはそれぞれ、コイル部がケース１２０内の上部空間に位置する姿勢で配置されている。
【０１３９】
第５内部連絡管４５Ａ〜４５Ｄを構成する第８内部連絡管５０Ａ〜５０Ｄは、第６内部連絡管４８Ａ〜４８Ｄ及び第７内部連絡管４９Ａ〜４９Ｄと合流した位置から後方に向かって延びている。また、第８内部連絡管５０Ａ〜５０Ｄは、左右方向に並んで配置されている。第８内部連絡管５０Ａ〜５０Ｄは、後方に向かう途中において、第２内部連絡管４２と第３内部連絡管４３との間を横切って、後側面板１２４側、言い換えれば、利用側大ノズル１１１Ａ〜１１１Ｄまで延びている。第８内部連絡管５０Ａ〜５０Ｄの途中部分にはそれぞれ、第３フィルタ５３Ａ〜５３Ｄが設けられている。尚、利用側大ノズル１１１Ａ〜１１１Ｄは、第８内部連絡管５０Ａ〜５０Ｄの一部であるとも言えるが、ここでは、説明の便宜上、ケース１２０内にある部分を第８内部連絡管５０Ａ〜５０Ｄと呼び、ケース１２０外にある部分を利用側大ノズル１１１Ａ〜１１１Ｄと呼ぶようにしている。
【０１４０】
−ケース開口、電装品ボックス及びその装着部−
ケース１２０の側面のうち、前側面（前側面板１２３）、左側面（左側面板１２５）及び右側面（右側面板１２６）にはそれぞれ、ケース開口１３２、１３３、１３４が形成されている。したがって、ここでは、ケース１２０の側面のうち、対向する２つの側面（左側面及び右側面）と、左側面及び右側面の両方に交差する方向を向く側面（前側面）に、ケース開口１３２、１３３、１３４が形成されている。ここで、左側面板１２５及び右側面板１２６には、熱源側連絡ノズル（熱源側小ノズル７１、７２、熱源側中ノズル８１、８２及び熱源側大ノズル９１、９２）が設けられているため、ケース開口（ここでは、ケース開口１３３、１３４）は、ケース１２０の側面のうち、熱源側連絡ノズルが設けられている側面（ここでは、左側面及び右側面）に設けられていることになる。また、利用側連絡ノズル（利用側小ノズル１０１Ａ〜１０１Ｄ及び利用側大ノズル１１１Ａ〜１１１Ｄ）が設けられている後側面板１２４には、ケース開口が設けられていないため、利用側連絡ノズルは、ケース開口（ここでは、ケース開口１３２、１３３、１３４）及び熱源側連絡ノズルが設けられた側面以外の側面（ここでは、後側面）に設けられていることになる。
【０１４１】
ケース開口１３３は、左側面板１２５の上部に配置されている。ここで、上部とは、少なくとも上下方向の中央よりも上方の部分のことである。ここでは、ケース開口１３３が、ケース１２０内に配置される流路切換弁４６Ａ〜４６Ｄ、４７Ａ〜４７Ｂ及び過冷却膨張弁５８Ａ〜５８Ｄのコイル部と概ね同じ高さ位置（ケース１２０の上部空間）に配置されている。また、ケース開口１３３は、横長の略長方形状の開口であり、ここでは、人間の手が入る程度のサイズを有している。また、ケース開口１３３は、左側面板１２５のうち第１熱源側連絡ノズル（第１熱源側小ノズル７１、第１熱源側中ノズル８１及び第１熱源側大ノズル９１）の側方（ここでは、前方）に配置されている。言い換えれば、第１熱源側連絡ノズルは、ケース開口１３３よりも利用側連絡ノズル（利用側小ノズル１０１Ａ〜１０１Ｄ及び利用側大ノズル１１１Ａ〜１１１Ｄ）が設けられている側面（後側面）に近い方に配置されている。具体的には、ケース開口１３３が、左右方向の中央から少し前方に寄った位置、ここでは、流路切換弁４６Ａ〜４６Ｄ、４７Ａ〜４７Ｂ及び過冷却膨張弁５８Ａ〜５８Ｄのコイル部と概ね同じ前後方向位置に配置されている。また、ケース１２０は、ケース開口１３３を覆うケース蓋１３５を有している。ここでは、左側面板１２５のうちケース開口１３３の周囲部（ここでは、ケース開口１３３のコーナー部付近）にネジ穴１３６が形成されており、ケース蓋１３５をネジ止めにより固定できるようになっている。尚、ケース蓋１３５の固定構造は、ネジ止めに限定されるものではなく、引っ掛け固定や嵌め込み固定等のような他の固定構造であってもよい。
【０１４２】
ケース開口１３４は、右側面板１２６の上部に配置されている。ここで、上部とは、少なくとも上下方向の中央よりも上方の部分のことである。ここでは、ケース開口１３４が、ケース１２０内に配置される流路切換弁４６Ａ〜４６Ｄ、４７Ａ〜４７Ｂ及び過冷却膨張弁５８Ａ〜５８Ｄのコイル部と概ね同じ高さ位置（ケース１２０の上部空間）に配置されている。また、ケース開口１３４は、横長の略長方形状の開口であり、ここでは、人間の手が入る程度のサイズを有している。そして、ここでは、ケース開口１３４が、ケース開口１３３と同じサイズである。また、ケース開口１３４は、右側面板１２６のうち第２熱源側連絡ノズル（第２熱源側小ノズル７２、第２熱源側中ノズル８２及び第２熱源側大ノズル９２）の側方（ここでは、前方）に配置されている。言い換えれば、第２熱源側連絡ノズルは、ケース開口１３４よりも利用側連絡ノズル（利用側小ノズル１０１Ａ〜１０１Ｄ及び利用側大ノズル１１１Ａ〜１１１Ｄ）が設けられている側面（後側面）に近い方に配置されている。具体的には、ケース開口１３４が、左右方向の中央から少し前方に寄った位置、ここでは、流路切換弁４６Ａ〜４６Ｄ、４７Ａ〜４７Ｂ及び過冷却膨張弁５８Ａ〜５８Ｄのコイル部と概ね同じ前後方向位置に配置されている。そして、ここでは、ケース開口１３４が、ケース開口１３３と対向する位置に配置されている。また、ケース１２０は、ケース開口１３４を覆うケース蓋１３６を有している。ここでは、右側面板１２６のうちケース開口１３４の周囲部（ここでは、ケース開口１３４のコーナー部付近）にネジ穴１３７が形成されており、ケース蓋１３６をネジ止めにより固定できるようになっている。尚、ケース蓋１３６の固定構造は、ネジ止めに限定されるものではなく、引っ掛け固定や嵌め込み固定等のような他の固定構造であってもよい。
【０１４３】
ケース開口１３２は、前側面板１２３の上部に配置されている。ここで、上部とは、少なくとも上下方向の中央よりも上方の部分のことである。ここでは、ケース１２０内に配置される流路切換弁４６Ａ〜４６Ｄ、４７Ａ〜４７Ｂ及び過冷却膨張弁５８Ａ〜５８Ｄのコイル部と概ね同じ高さ位置（ケース１２０の上部空間）に配置されている。また、ケース開口１３２は、横長の略長方形状の開口であり、ここでは、人間の手が入る程度のサイズを有している。そして、ここでは、ケース開口１３４が、ケース開口１３３、１３４と同じサイズである。また、ケース開口１３２は、前側面板１２３の左右方向の中央付近に配置されている。また、前側面板１２３には、電装品ボックス１４０を装着するボックス装着部１３８が形成されている。ボックス装着部１３８は、前側面板１２３のうち、ケース開口１３２を含む左右方向の中央付近の略長方形状の部分である。ボックス装着部１３８には、電装品ボックス１４０をネジ止めするためのネジ穴１３９が形成されている。
【０１４４】
電装品ボックス１４０は、ケース１２０よりも小さい略直方体形状の箱体であり、主として、一面が開放された箱状のボックス本体１４１と、ボックス本体１４１の開放面を覆う長方形形状のボックス蓋１４２と、を有している。ボックス本体１４１は、主として、略長方形状の装着面部１４３と、装着面部１４３の４つの辺部から交差する方向に延びる略長方形状の周囲面部１４４〜１４７と、を有している。ボックス蓋１４２は、装着面部１４３に対向して装着面部１４３と概ね同じサイズを有しており、周囲面部１４４〜１４７にネジ止め等によって固定されるようになっている。尚、ボックス蓋１４２の固定構造は、ネジ止めに限定されるものではなく、引っ掛け固定や嵌め込み固定等のような他の固定構造であってもよい。装着面部１４３には、制御基板１４８や端子台１４９が流路切換弁４６Ａ〜４６Ｄ、４７Ａ〜４７Ｄや過冷却膨張弁５８Ａ〜５８Ｄを制御する電装部品として設けられている。また、装着面部１４３には、電装品ボックス１４０をボックス装着部１３８に装着するためのネジが貫通するネジ穴１５０が形成されている。さらに、装着面部１４３には、ボックス開口１５１が形成されている。ボックス開口１５１は、電装品ボックス１４０がボックス装着部１３８に装着された状態において、装着面部１４３のケース開口１３２に対向する部分（装着面部１４３の上部）に形成されている。また、ボックス開口１５１は、略長方形状の開口であり、ここでは、人間の手が入る程度のサイズを有している。そして、ここでは、ボックス開口１５１が、ケース開口１３２と同じサイズである。制御基板１４８や端子台１４９等の電装部品は、ボックス開口１５１を避けて配置されている。ここでは、電装品ボックス１４０がボックス装着部１３８に装着された状態において、制御基板１４８や端子台１４９等の電装部品は、ボックス開口１５１の下側に配置されている。言い換えれば、電装部品は、ボックス開口１５１からケース開口１３２を通じてケース１２０内にアクセスできる状態で電装品ボックス１４０に収容されていることになる。制御基板１４８と流路切換弁４６Ａ〜４６Ｄ、４７Ａ〜４７Ｄや過冷却膨張弁５８Ａ〜５８Ｄとの間には、電気配線１５２（内部配線）が接続されている。内部配線１５２は、電装品ボックス１４０がボックス装着部１３８に装着された状態において、ボックス開口１５１及びケース開口１３２を通じてケース１２０内に引き込まれるようになっている。また、制御基板１４８や端子台１４９には、ケース１２０外の機器（電源や他のユニット２、３等）に接続するための通信線１５３や電源線１５４（外部配線）が接続されている。電装品ボックス１４０には、外部配線１５３、１５４を外部に引き出すための外部配線開口１５５、１５６が形成されている。ここでは、外部配線開口１５５が周囲面部１４６に形成され、外部配線開口１５６が周囲面部１４７に形成されている。尚、外部配線開口が形成される面は、周囲面部１４６、１４７の２面に限定されるものではなく、周囲面部１４５等を含めた２つ以上の面に形成されていてもよい。
【０１４５】
また、ここでは、左側面板１２５及び右側面板１２６にも、前側面板１３２のボックス装着部１３８と同様のボックス装着部１５７、１５８が形成されている。
【０１４６】
ボックス装着部１５７は、左側面板１２５のうち、ケース開口１３３を含む左右方向の中央から少し前方付近の略長方形状の部分である。また、ボックス装着部１５７は、左側面板１２５のうち第１熱源側連絡ノズル（第１熱源側小ノズル７１、第１熱源側中ノズル８１及び第１熱源側大ノズル９１）の側方（ここでは、前方）に配置されている。言い換えれば、第１熱源側連絡ノズルは、ボックス装着部１５７よりも利用側連絡ノズル（利用側小ノズル１０１Ａ〜１０１Ｄ及び利用側大ノズル１１１Ａ〜１１１Ｄ）が設けられている側面（後側面）に近い方に配置されている。そして、ボックス装着部１５７には、ボックス装着部１３８と同様に、電装品ボックス１４０をネジ止めするためのネジ穴１５９が形成されている。
【０１４７】
ボックス装着部１５８は、右側面板１２６のうち、ケース開口１３４を含む左右方向の中央から少し前方付近の略長方形状の部分である。また、ボックス装着部１５８は、右側面板１２６のうち第２熱源側連絡ノズル（第２熱源側小ノズル７２、第２熱源側中ノズル８２及び第２熱源側大ノズル９２）の側方（ここでは、前方）に配置されている。言い換えれば、第２熱源側連絡ノズルは、ケース開口１３４よりも利用側連絡ノズル（利用側小ノズル１０１Ａ〜１０１Ｄ及び利用側大ノズル１１１Ａ〜１１１Ｄ）が設けられている側面（後側面）に近い方に配置されている。そして、ボックス装着部１５８には、ボックス装着部１３８と同様に、電装品ボックス１４０をネジ止めするためのネジ穴１６０が形成されている。
【０１４８】
また、ここでは、左側面板１２５及び右側面板１２６と同様に、前側面板１２３のうちケース開口１３２の周囲部（ここでは、ケース開口１３２のコーナー部付近）にネジ穴１６１が形成されている。そして、左側面板１２５又は右側面板１２６に電装品ボックス１４０を装着する場合に、ケース開口１３２にケース蓋１３５又はケース蓋１３６をネジ止めにより固定できるようになっている。
【０１４９】
＜ユニット間接続の構成＞
次に、冷媒流路切換ユニット４（ここでは、冷媒流路切換ユニット４−１、４−２、４−３、４−４）間接続の構成について説明する。
【０１５０】
ここでは、図１に示すように、通路の両側に複数の居室が配置されているため、通路の天井裏空間の長手方向に沿って、冷媒流路切換ユニット４−１、４−２、４−３、４−４が配置されている。ここで、冷媒流路切換ユニット４−１、４−４については、利用側連絡ノズル１０１−１、１１１−１、１０１−４、１１１−４の先端部が通路の片側（図１における上方）を向くように配置され、冷媒流路切換ユニット４−２、４−３については、利用側連絡ノズル１０１−２、１１１−２、１０１−３、１１１−３の先端部が通路の片側（図１における下方）を向くように配置されている。言い換えれば、冷媒流路切換ユニット４−２、４−３は、冷媒流路切換ユニット４−１、４−４に対して１８０度回転させた状態で配置されている。また、ここでは、冷媒流路切換ユニット４−１と冷媒流路切換ユニット４−２とが極力近づけて配置され、冷媒流路切換ユニット４−３と冷媒流路切換ユニット４−４とが極力近づけて配置されている。
【０１５１】
そして、冷媒流路切換ユニット４−１と冷媒流路切換ユニット４−２とは、互いのノズル延長線Ｐ１、Ｐ２、Ｐ３がそれぞれ一直線になるように配置されている。言い換えれば、冷媒流路切換ユニット４−１の第１熱源側連絡ノズル７１−１、８１−１、９１−１の管中心と冷媒流路切換ユニット４−２の第１熱源側連絡ノズル７１−２、８１−２、９１−２の管中心とが対向している。また、冷媒流路切換ユニット４−２と冷媒流路切換ユニット４−３とは、互いのノズル延長線Ｐ１、Ｐ２、Ｐ３がそれぞれ一直線になるように配置されている。言い換えれば、冷媒流路切換ユニット４−２の第２熱源側連絡ノズル７２−２、８２−２、９２−２の管中心と冷媒流路切換ユニット４−３の第１熱源側連絡ノズル７１−３、８１−３、９１−３の管中心とが対向している。また、冷媒流路切換ユニット４−３と冷媒流路切換ユニット４−４とは、互いのノズル延長線Ｐ１、Ｐ２、Ｐ３がそれぞれ一直線になるように配置されている。言い換えれば、冷媒流路切換ユニット４−３の第２熱源側連絡ノズル７２−３、８２−３、９２−３の管中心と冷媒流路切換ユニット４−４の第２熱源側連絡ノズル７２−４、８２−４、９２−４の管中心とが対向している。このように、冷媒流路切換ユニット４−１、４−２、４−３、４−４の熱源側連絡ノズルはすべて、ノズル延長線Ｐ１、Ｐ２、Ｐ３が一直線になるように配置されている。
【０１５２】
そして、熱源ユニット２と冷媒流路切換ユニット４−１の第２熱源側連絡ノズル７２−１、８２−１、９２−１はそれぞれ、熱源ユニット２から延びる熱源側冷媒連絡管７−１、８−１、９−１に接続されている。ここで、第２熱源側連絡ノズル７２−１、８２−１、９２−１は、異径部７３、８３、９３が切断線Ｘ１の位置で切断された状態（言い換えれば、第１部７４、第１部８４、第１部９４に変更された状態）で、接続される。また、冷媒流路切換ユニット４−１の第１熱源側連絡ノズル７１−１、８１−１、９１−１と冷媒流路切換ユニット４−２の第１熱源側連絡ノズル７１−２、８１−２、９１−２とはそれぞれ、直管からなる熱源側冷媒連絡管７−２、８−２、９−２によって接続されている。ここで、第１熱源側連絡ノズル７１−１、８１−１、９１−１及び第１熱源側連絡ノズル７１−２、８１−２、９１−２は、異径部７３、８３、９３が切断線Ｘ２の位置で切断された状態（第２部７５、第１部８４、第２部９５に変更された状態）で接続される。したがって、第１熱源側連絡ノズル７１−１、８１−１、９１−１と第１熱源側連絡ノズル７１−２、８１−２、９１−２との間は、異径継手を介することなく、配管接続されている。また、冷媒流路切換ユニット４−２の第２熱源側連絡ノズル７２−２、８２−２、９２−２と冷媒流路切換ユニット４−３の第１熱源側連絡ノズル７１−３、８１−３、９１−３とはそれぞれ、直管からなる熱源側冷媒連絡管７−３、８−３、９−３によって接続されている。ここで、第２熱源側連絡ノズル７２−２、８２−２、９２−２及び第１熱源側連絡ノズル７１−３、８１−３、９１−３は、異径部７３、８３、９３が切断線Ｘ３の位置で切断された状態（第３部７６、第２部８５、第２部９５に変更された状態）で接続される。したがって、第２熱源側連絡ノズル７２−２、８２−２、９２−２と第１熱源側連絡ノズル７１−３、８１−３、９１−３との間は、異径継手を介することなく、配管接続されている。また、冷媒流路切換ユニット４−３の第２熱源側連絡ノズル７２−３、８２−３、９２−３と冷媒流路切換ユニット４−４の第２熱源側連絡ノズル７２−４、８２−４、９２−４とはそれぞれ、直管からなる熱源側冷媒連絡管７−４、８−４、９−４によって接続されている。ここで、第２熱源側連絡ノズル７２−３、８２−３、９２−３及び第２熱源側連絡ノズル７２−４、８２−４、９２−４は、異径部７３、８３、９３が切断されない状態（第４部７７、第２部８５、第３部９６の状態）で接続される。したがって、第２熱源側連絡ノズル７２−３、８２−３、９２−３と第２熱源側連絡ノズル７２−４、８２−４、９２−４との間は、異径継手を介することなく、配管接続されている。また、冷媒流路切換ユニット４−４の第１熱源側連絡ノズル７１−４、８１−４、９１−４には、熱源側冷媒連絡管が接続されず、先端部が圧潰する等によって封止されている。
【０１５３】
そして、ここでは、冷媒流路切換ユニット４において、電装品ボックス１４０をケース１２０の前側面（前側面板１２３）、左側面（左側面板１２５）及び右側面（右側面板１２６）のいずれかに装着することができる。
【０１５４】
例えば、図１９及び図２０に示すように、すべての冷媒流路切換ユニット４において、ケース１２０の前側面（前側面板１２３）のボックス装着部１３８に電装品ボックス１４０を装着することができる。
【０１５５】
また、図２１及び図２２に示すように、冷媒流路切換ユニット４−１において、ケース１２０の左側面（左側面板１２５）のボックス装着部１５７に電装品ボックス１４０を装着することができる。また、冷媒流路切換ユニット４−２においても、ケース１２０の左側面（左側面板１２５）のボックス装着部１５７に電装品ボックス１４０を装着することができる。この場合には、冷媒流路切換ユニット４−１の電装品ボックス１４０は、冷媒流路切換ユニット４−１のボックス装着部１３８、１５７、１５８のうち、冷媒流路切換ユニット４−２に近い方（ここでは、ケース１２０の左側面）のボックス装着部１５７に装着されていることになる。また、冷媒流路切換ユニット４−３においては、ケース１２０の右側面（右側面板１２６）のボックス装着部１５８に電装品ボックス１４０を装着することができる。また、冷媒流路切換ユニット４−４においても、ケース１２０の右側面（右側面板１２６）のボックス装着部１５８に電装品ボックス１４０を装着することができる。この場合にも、冷媒流路切換ユニット４−３の電装品ボックス１４０は、冷媒流路切換ユニット４−３のボックス装着部１３８、１５７、１５８のうち、冷媒流路切換ユニット４−４に近い方（ここでは、ケース１２０の右側面）のボックス装着部１５８に装着されていることになる。
【０１５６】
（３）特徴
次に、冷媒流路切換ユニット４及びそれを備えた空気調和装置１の特徴について説明する。
【０１５７】
＜Ａ＞
ここでは、上記のように、冷媒流路切換ユニット４において、ケース１２０の複数（３つ）の面（前側面、左側面及び右側面）に、電装品ボックス１４０を装着するボックス装着部１３８、１５７、１５８を形成している（図４、図６、図８、図１０、図１２及び図１４〜図１８参照）。
【０１５８】
このため、ここでは、電装品ボックス１４０のケース１２０への装着位置（装着面）を必要に応じて変更することができる。このとき、少なくとも２つの側面（ここでは、前側面、左側面及び右側面）にボックス装着部１３８、１５７、１５８を形成すれば、ケース１２０の側面のうち点検口に近い面に電装品ボックス１４０を装着することができ、電装品ボックス１４０のメンテナンスの作業性を向上させることができる。
【０１５９】
例えば、図１及び図２に示されるように、冷媒流路切換ユニット４−１、４−２、４−３、４−４を並べて配置する場合には、図１９及び図２０に示すように、冷媒流路切換ユニット４−１、４−２、４−３、４−４のそれぞれにおいて、ケース１２０の前側面（前側面板１２３）に電装品ボックス１４０を設けることができる。
【０１６０】
しかし、この電装品ボックス１４０の配置では、図２０に示すように、冷媒流路切換ユニット４−１、４−２、４−３、４−４のそれぞれに対して点検口（合計４つの点検口）が必要になる。言い換えれば、冷媒流路切換ユニット４−１と冷媒流路切換ユニット４−２とが近くに配置されており、かつ、冷媒流路切換ユニット４−３と冷媒流路切換ユニット４−４とが近くに配置されているにもかかわらず、電装品ボックス１４０のメンテナンス時に、冷媒流路切換ユニットごとに作業場所（点検口）を変更する必要がある。
【０１６１】
これに対して、図２１及び図２２に示すように、近くに配置されている冷媒流路切換ユニット４−１及び冷媒流路切換ユニット４−２に共通の点検口を設け、かつ、冷媒流路切換ユニット４−３及び冷媒流路切換ユニット４−４に共通の点検口を設けて、各点検口からアクセス可能なケース１２０の面に、電装品ボックス１４０を装着することができる。具体的には、冷媒流路切換ユニット４−１については、冷媒流路切換ユニット４−２に近い左側面（左側面板１２５）に電装品ボックス１４０を装着し、冷媒流路切換ユニット４−２については、冷媒流路切換ユニット４−１に近い左側面（左側面板１２５）に電装品ボックス１４０を装着して、両電装品ボックス１４０が共通の点検口からアクセス可能な位置に配置されるようにしている。また、冷媒流路切換ユニット４−３については、冷媒流路切換ユニット４−４に近い右側面（左側面板１２６）に電装品ボックス１４０を装着し、冷媒流路切換ユニット４−４については、冷媒流路切換ユニット４−３に近い左側面（右側面板１２６）に電装品ボックス１４０を装着して、両電装品ボックス１４０が共通の点検口からアクセス可能な位置に配置されるようにしている。
【０１６２】
このため、ここでは、冷媒流路切換ユニット４−１の電装品ボックス１４０を冷媒流路切換ユニット４−２の電装品ボックス１４０の近くに配置することができ、また、冷媒流路切換ユニット４−３の電装品ボックス１４０を冷媒流路切換ユニット４−４の電装品ボックス１４０の近くに配置することができる。そして、複数（ここでは、２つずつ）の冷媒流路切換ユニットに共通の１つの点検口から複数の電装品ボックス１４０のメンテナンスを行うことができる。
【０１６３】
これにより、ここでは、電装品ボックスのメンテナンス時に、作業場所（点検口）を変更する回数を減らすことができ、作業性を向上させることができる。また、点検口の数を減らすことにより、施工コストを削減することができる。
【０１６４】
＜Ｂ＞
また、ボックス装着部１５７、１５８が形成された側面（ここでは、左側面及び右側面）に熱源側連絡ノズル（第１熱源側連絡ノズル７１、８１、９１及び第２熱源側連絡ノズル７２、８２、９２）を設けると、熱源側連絡ノズル及び熱源側連絡ノズルに接続される熱源側冷媒連絡管７、８、９が邪魔になりやすい。これにより、電装品ボックス１４０のメンテナンスの作業性が低下するおそれがある。
【０１６５】
しかし、ここでは、上記のように、ボックス装着部１５７、１５８が形成された側面（左側面及び右側面）に熱源側連絡ノズルを設ける際に、熱源側連絡ノズルをボックス装着部１５７、１５８の側方に配置している（図４、図６、図８、図１０及び図１５〜図１８参照）。
【０１６６】
これにより、ここでは、熱源側連絡ノズル及び熱源側連絡ノズルに接続される熱源側冷媒連絡管が邪魔になりにくく、電装品ボックスのメンテナンスの作業性が低下するおそれを少なくできる。
【０１６７】
また、ボックス装着部１５７、１５８が形成された側面（左側面及び右側面）に熱源側連絡ノズルを設ける際に、熱源側連絡ノズルをボックス装着部１５７、１５８よりも利用側連絡ノズル１０１、１１１が形成された側面（ここでは、後側面）から遠い方に配置すると、利用側連絡ノズル１０１、１１１及び利用側連絡ノズルに接続される利用側冷媒連絡管１０、１１が邪魔になりやすい。これにより、電装品ボックス１４０のメンテナンスの作業性が低下するおそれがある。
【０１６８】
しかし、ここでは、上記のように、ボックス装着部１５７、１５８が形成された側面（左側面及び右側面）に熱源側連絡ノズルを設ける際に、熱源側連絡ノズルをボックス装着部１５７、１５８よりも利用側連絡ノズル１０１、１１１が形成された側面（後側面）に近い方に配置している（図４、図６、図８、図１０及び図１５〜図１８参照）。
【０１６９】
これにより、ここでは、利用側連絡ノズル及び利用側連絡ノズルに接続される利用側冷媒連絡管が邪魔になりにくく、電装品ボックスのメンテナンスの作業性が低下するおそれを少なくできる。
【０１７０】
＜Ｃ＞
また、ここでは、上記のように、ボックス装着部１３８、１５７、１５８に、流路切換弁４６Ａ〜４６Ｄ、４７Ａ〜４７Ｄ及び過冷却膨張弁５８Ａ〜５８Ｄと電装部品としての制御基板１４８とを接続する内部配線１５２を通すケース開口１３２〜１３４（内部配線開口）を形成している（図４、図８、図１０、図１２及び図１４〜図１８参照）。
【０１７１】
これにより、ここでは、いずれのボックス装着部１３８、１５７、１５８に電装品ボックス１４０を装着する場合においても、電装品ボックス１４０からケース１２０内に内部配線１５２を通すことができる。
【０１７２】
また、ここでは、上記のように、ケース開口１３２〜１３４が人間の手が入る程度のサイズを有しているため、ケース開口１３２〜１３４を通じて、ケース１２０内にアクセスすることができ、流路切換弁４６Ａ〜４６Ｄ、４７Ａ〜４７Ｄや過冷却膨張弁５８Ａ〜５８Ｄのメンテナンスを行うことができる。言い換えれば、ここでは、ケース開口１３２〜１３４を、内部配線１５２を通す機能だけではなく、メンテナンス開口としても機能させることができる。しかも、ここでは、ケース開口１３２〜１３４がケース１２０の側面に複数（３つ）形成されているため、ケース１２０の上面（上面板１２１）を開けることなく、流路切換弁４６Ａ〜４６Ｄ、４７Ａ〜４７Ｄや過冷却膨張弁５８Ａ〜５８Ｄのメンテナンスを行うことができる。
【０１７３】
また、ここでは、上記のように、ケース１２０が、ケース開口１３２〜１３４（内部配線開口）を覆うケース蓋１３５、１３６（蓋部材）を有している（図４、図８、図１０、図１５及び図１７参照）。
【０１７４】
このため、ここでは、電装品ボックス１４０が装着されないボックス装着部１３８、１５７、１５８について、ケース開口１３２〜１３４（内部配線開口）を覆うことができる。
【０１７５】
例えば、電装品ボックス１４０をケース１２０の前側面（ボックス装着部１３８）に装着する場合には、ケース１２０の左側面（左側面板１２５）のケース開口１３３及び右側面（右側面板１２６）のケース開口１３４を、ケース蓋１３５、１３６によって覆うことができる（図４参照）。電装品ボックス１４０をケース１２０の左側面（ボックス装着部１５７）に装着する場合には、ケース１２０の前側面（前側面板１２３）のケース開口１３３及び右側面（右側面板１２６）のケース開口１３４を、ケース蓋１３５、１３６によって覆うことができる（図１５参照）。電装品ボックス１４０をケース１２０の右側面（ボックス装着部１５８）に装着する場合には、ケース１２０の前側面（前側面板１２３）のケース開口１３３及び左側面（左側面板１２５）のケース開口１３３を、ケース蓋１３５、１３６によって覆うことができる（図１７参照）。
【０１７６】
＜Ｄ＞
また、ここでは、上記のように、電装品ボックス１４０を、ボックス装着部１３８、１５７、１５８にネジ止めしている（図１２、図１４、図１６及び図１８参照）。
【０１７７】
具体的には、電装品ボックス１４０をケース１２０の前側面に装着する場合には、電装品ボックス１４０をボックス装着部に装着するためのネジを、電装品ボックス１４０の装着面部１４３に形成されているネジ穴１５０を貫通させつつ、ボックス装着部１３８に形成されたネジ穴１３９に螺着させる（図１２及び図１４参照）。電装品ボックス１４０をケース１２０の左側面に装着する場合には、電装品ボックス１４０をボックス装着部に装着するためのネジを、電装品ボックス１４０の装着面部１４３に形成されているネジ穴１５０を貫通させて、ボックス装着部１５７に形成されたネジ穴１５９に螺着させる（図１６参照）。電装品ボックス１４０をケース１２０の右側面に装着する場合には、電装品ボックス１４０をボックス装着部に装着するためのネジを、電装品ボックス１４０の装着面部１４３に形成されているネジ穴１５０を貫通させて、ボックス装着部１５８に形成されたネジ穴１６０に螺着させる（図１８参照）。
【０１７８】
言い換えれば、ここでは、電装品ボックス１４０をボックス装着部１３８、１５７、１５８に固定する固定構造がボックス装着部１３８、１５７、１５８に設けられている。そして、ここでは、固定構造として、電装品ボックス１４０をボックス装着部１３８、１５７、１５８にネジ止めする構造が採用されている。
【０１７９】
これにより、ここでは、電装品ボックスの装着面を変更する際に、ボックス装着部から電装品ボックスを容易に取り外して、別のボックス装着部に容易に装着することができる。
【０１８０】
尚、電装品ボックス１４０をボックス装着部１３８、１５７、１５８に固定する固定構造は、ネジ止めに限定されるものではなく、引っ掛け固定や嵌め込み固定等のような他の固定構造であってもよい。
【０１８１】
＜Ｅ＞
また、ここでは、上記のように、電装品ボックス１４０の複数の面（ここでは、装着面部１４６、１４７）に、電装部品１４８、１４９とケース１２０外の機器（電源やユニット２、３）とを接続する外部配線１５３、１５４を通す外部配線開口１５５、１５６を形成している（図１４、図１６及び図１８参照）。
【０１８２】
これにより、ここでは、電装品ボックスの装着位置（装着面）に応じて、外部配線を通す位置を変更することができる。
【０１８３】
（４）変形例
＜Ａ＞
上記実施形態の冷媒流路切換ユニット４では、電装品ボックス１４０の装着面部１４３に形成されているネジ穴１５０が、電装品ボックス１４０をボックス装着部に装着するためのネジが、ちょうど通る程度の円形の穴である（図１４、図１６及び図１８参照）。このため、同じ装着面において、電装品ボックス１４０の装着位置を少しだけずらす等の微調整が困難である。
【０１８４】
そこで、ここでは、図２３に示すように、電装品ボックス１４０の装着面部１４３に形成されているネジ穴１５０を、電装品ボックス１４０の側方に長い長穴にしている。
【０１８５】
このため、ここでは、ネジ穴１５０の長穴のサイズに応じて、ボックス装着部へのネジ止め位置をずらすことができる（図２３においては、左右方向にずらすことができる）。言い換えれば、ネジ穴１５０をボックス装着部へのネジ止め位置をずらすための位置調整部として機能させることができる。
【０１８６】
これにより、ここでは、電装品ボックスの装着位置を、同じ装着面において、微調整することができる。
【０１８７】
＜Ｂ＞
上記実施形態及び変形例Ａの冷媒流路切換ユニット４では、ボックス装着部がケース１２０の複数の側面（前側面、左側面及び右側面）に形成されている（図４、図６、図８、図１０、図１２及び図１４〜図１８参照）。
【０１８８】
しかし、図２４に示すように、ケース１２０の側面だけではなく、ケース１２０の下面（下面板１２２）にも、ボックス装着部１６２を形成してもよい。そうすると、ケース１２０の側面及び下面のうち点検口に近い面に、電装品ボックス１４０を装着することができ、電装品ボックスのメンテナンスの作業性を向上させることができる。
【０１８９】
＜Ｃ＞
上記実施形態及び変形例Ａ、Ｂでは、空気調和装置１が、熱源ユニット２を１台有しているが、これに限定されず、熱源ユニット２を複数台有していてもよい。また、空気調和装置１は、利用ユニット３を１６台有しているが、これに限定されず、利用ユニット３の台数がもっと多くてもよいし、少なくてもよい。
【０１９０】
＜Ｄ＞
上記実施形態及び変形例Ａ〜Ｃでは、冷媒流路切換ユニット４が、４台の利用ユニット３を接続可能なものとなっているが、これに限定されず、３台以下の利用ユニット３を接続可能なものであってもよいし、５台以上の利用ユニット３を接続可能なものであってもよい。
【０１９１】
＜Ｅ＞
上記実施形態及び変形例Ａ〜Ｄでは、冷媒流路切換ユニット４が、過冷却熱交換器５４、過冷却膨張弁５８や第４フィルタ５７Ａ〜５７Ｄを含む第９内部連絡管５５、第１０内部連絡管５６、及び、第１１内部連絡管５９を有しているが、これに限定されるものではなく、冷媒流路切換ユニット４に冷媒を冷却する機能を有しなくてもよい場合には、これらを有していなくてもよい。
【０１９２】
＜Ｆ＞
上記実施形態及び変形例Ａ〜Ｅでは、冷媒流路切換ユニット４間が、熱源側冷媒連絡管５（７、８、９）を介して接続されているが、冷媒流路切換ユニット４間の距離が非常に小さい場合には、熱源側連絡ノズル間を直接接続してもよい。
【０１９３】
＜Ｇ＞
上記実施形態及び変形例Ａ〜Ｆでは、第１熱源側連絡ノズル７１、８１、９１や第２熱源側連絡ノズル７２、８２、９２が、互いに対向するケース１２０の側面に上下方向に沿って一列に並んでいるが、これに限定されず、一列に並んでいなくてもよいし、ケース１２０の別の面に形成されていてもよい。
【０１９４】
＜Ｈ＞
上記実施形態及び変形例Ａ〜Ｇでは、第１熱源側連絡ノズル７１、８１、９１や第２熱源側連絡ノズル７２、８２、９２に異径部７３、８３、９３が形成されているが、これに限定されず、異径部７３、８３、９３が形成されていなくてもよい。
【０１９５】
＜Ｉ＞
上記実施形態及び変形例Ａ〜Ｈでは、ケース開口１３２〜１３４が人間の手が入る程度のサイズを有しているが、これに限定されず、内部配線１５２を通すだけの小さいものであってもよい。
【０１９６】
＜Ｊ＞
上記実施形態及び変形例Ａ〜Ｉでは、冷媒流路切換ユニット４間の直列接続を行うために、ケース１２０に、第１熱源側連絡ノズル７１、８１、９１及び第２熱源側連絡ノズル７２、８２、９２という２組の熱源側連絡ノズルが形成された構成を採用しているが、これに限定されず、熱源側連絡ノズルを１組だけ有する構成であってもよい。
【０１９７】
以上、本開示の実施形態を説明したが、請求の範囲に記載された本開示の趣旨及び範囲から逸脱することなく、形態や詳細の多様な変更が可能であることが理解されるであろう。
【産業上の利用可能性】
【０１９８】
本開示は、熱源ユニットと利用ユニットとの間に設けられて利用ユニットにおける冷媒の流れを切り換える冷媒流路切換ユニット、及び、それを備えた空気調和装置、に対して、広く適用可能である。
【符号の説明】
【０１９９】
１                              空気調和装置
２                              熱源ユニット
３                              利用ユニット
４                              冷媒流路切換ユニット
４６Ａ〜４６Ｄ                  第１流路切換弁
４７Ａ〜４７Ｄ                  第２流路切換弁
７１                            第１熱源側小ノズル（熱源側連絡ノズル）
７２                            第２熱源側小ノズル（熱源側連絡ノズル）
８１                            第１熱源側中ノズル（熱源側連絡ノズル）
８２                            第２熱源側中ノズル（熱源側連絡ノズル）
９１                            第１熱源側大ノズル（熱源側連絡ノズル）
９２                            第２熱源側大ノズル（熱源側連絡ノズル）
１０１Ａ〜１０１Ｄ              利用側小ノズル（利用側連絡ノズル）
１１１Ａ〜１１１Ｄ              利用側大ノズル（利用側連絡ノズル）
１２０                          ケース
１２２                          下面板（下面）
１２３                          前側面板（側面）
１２５                          左側面板（側面）
１２６                          右側面板（側面）
１３２、１３３、１３４          ケース開口（内部配線開口）
１３５、１３６                  ケース蓋（蓋部材）
１３８、１５７、１５８、１６２  ボックス装着部
１４０                          電装品ボックス
１５０                          ネジ穴（固定構造、位置調整部）
１５２                          内部配線
１５３                          電源線（外部配線）
１５４                          通信線（外部配線）
１５５、１５６                  外部配線開口
【先行技術文献】
【特許文献】
【０２００】
【特許文献１】特開２０１５−２２７７４１号公報
【図１】
2020070957.tif 000003
【図２】
2020070957.tif 000004
【図３】
2020070957.tif 000005
【図４】
2020070957.tif 000006
【図５】
2020070957.tif 000007
【図６】
2020070957.tif 000008
【図７】
2020070957.tif 000009
【図８】
2020070957.tif 000010
【図９】
2020070957.tif 000011
【図１０】
2020070957.tif 000012
【図１１】
2020070957.tif 000013
【図１２】
2020070957.tif 000014
【図１３】
2020070957.tif 000015
【図１４】
2020070957.tif 000016
【図１５】
2020070957.tif 000017
【図１６】
2020070957.tif 000018
【図１７】
2020070957.tif 000019
【図１８】
2020070957.tif 000020
【図１９】
2020070957.tif 000021
【図２０】
2020070957.tif 000022
【図２１】
2020070957.tif 000023
【図２２】
2020070957.tif 000024
【図２３】
2020070957.tif 000025
【図２４】
2020070957.tif 000026
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
熱源ユニット（２）と利用ユニット（３）との間に設けられて前記利用ユニットにおける冷媒の流れを切り換える冷媒流路切換ユニットであって、
流路切換弁（４６Ａ〜４６Ｄ、４７Ａ〜４７Ｄ）と、
前記流路切換弁を収容するケース（１２０）と、
前記流路切換弁を制御する電装部品（１４８、１４９）を収容する電装品ボックス（１４０）と、
を備えており、
前記ケースの複数の面（１２２、１２３、１２５、１２６）に、前記電装品ボックスを装着するボックス装着部（１３８、１５７、１５８、１６２）が形成されており、
前記ボックス装着部が形成された側面に、熱源側連絡ノズル（７１、８１、９１、７２、８２、９２）が設けられており、
前記熱源側連絡ノズルは、前記ボックス装着部の側方に配置されている、
冷媒流路切換ユニット（４）。
【請求項２】
前記ボックス装着部は、前記ケースの側面のうち、少なくとも２つの側面に形成されている、
請求項１に記載の冷媒流路切換ユニット。
【請求項３】
前記ボックス装着部は、前記ケースの側面及び下面に形成されている、
請求項１に記載の冷媒流路切換ユニット。
【請求項４】
前記熱源側連絡ノズル及び前記ボックス装着部が形成された側面以外の他の側面に、利用側連絡ノズル（１０１Ａ〜１０１Ｄ、１１１Ａ〜１１１Ｄ）が設けられており、
前記熱源側連絡ノズルは、前記ボックス装着部よりも前記利用側連絡ノズルが形成された側面に近い方に配置されている、
請求項１に記載の冷媒流路切換ユニット。
【請求項５】
前記ケースは、互いに対向する第１面（１２５）および第２面（１２６）と、互いに対向する第３面（１２３）および第４面（１２４）と、を有しており、
前記ボックス装着部は、前記第１面（１２５）、前記第２面（１２６）および前記第３面（１２３）に形成されており、
前記第１面（１２５）および前記第２面（１２６）に、前記熱源側連絡ノズル（７１、８１、９１、７２、８２、９２）が設けられており、
前記第４面（１２４）に、利用側連絡ノズル（１０１Ａ〜１０１Ｄ、１１１Ａ〜１１１Ｄ）が設けられており、
前記第１面（１２５）および前記第２面（１２６）において、前記熱源側連絡ノズルは、前記ボックス装着部よりも前記第４面（１２４）に近い方に配置されている、
請求項１に記載の冷媒流路切換ユニット。
【請求項６】
前記ボックス装着部に、前記流路切換弁と前記電装部品とを接続する内部配線（１５２）を通す内部配線開口（１５１）が形成されている、
請求項１〜５のいずれか１項に記載の冷媒流路切換ユニット。
【請求項７】
前記ケースは、前記内部配線開口を覆う蓋部材（１３５、１３６）を有している、
請求項６に記載の冷媒流路切換ユニット。
【請求項８】
前記電装品ボックスを前記ボックス装着部に固定する固定構造が前記ボックス装着部に設けられている、
請求項１〜７のいずれか１項に記載の冷媒流路切換ユニット。
【請求項９】
前記固定構造は、前記電装品ボックスを前記ボックス装着部にネジ止めする構造である、
請求項８に記載の冷媒流路切換ユニット。
【請求項１０】
前記電装品ボックスに、前記ボックス装着部へのネジ止め位置をずらす位置調整部（１５０）が形成されている、
請求項９に記載の冷媒流路切換ユニット。
【請求項１１】
前記電装品ボックスの複数の面に、前記電装部品と前記ケース外の機器とを接続する外部配線（１５３、１５４）を通す外部配線開口（１５５、１５６）が形成されている、
請求項１〜１０のいずれか１項に記載の冷媒流路切換ユニット。
【請求項１２】
熱源ユニット（２）と、
利用ユニット（３）と、
前記熱源ユニットと前記利用ユニットとの間に設けられており、前記利用ユニットにおける冷媒の流れを切り換える、請求項１〜１１のいずれか１項に記載の冷媒流路切換ユニット（４）と、
を備えた、
空気調和装置（１）。
【請求項１３】
前記冷媒流路切換ユニットとして、第１冷媒流路切換ユニットと、第２冷媒流路切換ユニットと、を有しており、
前記第１冷媒流路切換ユニットの電装品ボックスは、前記第１冷媒流路切換ユニットのケースのボックス装着部のうち、前記第２冷媒流路切換ユニットに近い方のボックス装着部に装着されている、
請求項１２に記載の空気調和装置。